(57)【要約】移動局が従来のコンプレストモードでの下り伝搬路品質情報送信方法とほぼ同等の受信性能を確保でき、かつ、アップリンクで送信される下り伝搬路品質情報を生成するために必要な受信信号の測定等に関する制御が容易なコンプレストモードでの下り伝搬路品質情報送信方法、並びに簡素な構成からなる下り伝搬路品質情報送信装置を開示する。ダウンリンクとアップリンクとにそれぞれ送信ギャップ区間が出現するコンプレストモードおいて、移動局がそのダウンリンクの送信ギャップ区間が始まる前の受信信号に基づいて生成された下り伝搬路品質情報を、そのダウンリンクの送信ギャップ区間及びアップリンクの送信ギャップ区間が共に終わるまで持ち越さないようにする。
2005034555.tif 000002
【特許請求の範囲】
【請求項１】
無線信号を受信する受信ステップと、
受信信号に基づいて測定参照区間毎に下り伝搬路品質情報を生成する下り伝搬路品質情報生成ステップと、
前記受信信号から制御パラメータを抽出する抽出ステップと、
抽出された前記制御パラメータに基づいてダウンリンクの送信ギャップ区間及びアップリンクの送信ギャップ区間を算出し、算出された前記ダウンリンクの送信ギャップ区間と重畳しない前記測定参照区間の前記受信信号に基づいて生成された前記下り伝搬路品質情報の送信が想定される想定区間と、前記アップリンクの送信ギャップ区間と重畳しない前記想定区間と、が前記ダウンリンクの送信ギャップ区間及び前記アップリンクの送信ギャップ区間が共に終わった後で最初に一致するときに、前記下り伝搬路品質情報を送信するタイミングを生成するタイミング生成ステップと、
前記ダウンリンクの送信ギャップ区間と重畳せず、かつ、前記ダウンリンクの送信ギャップ区間が終わった後の前記測定参照区間の前記受信信号に基づいて生成された前記下り伝搬路品質情報を、前記タイミング生成ステップにおいて生成された前記タイミングで送信する送信ステップと、を具備するコンプレストモードでの下り伝搬路品質情報送信方法。
【請求項２】
前記タイミング生成ステップでは、抽出された前記制御パラメータに基づいて前記ダウンリンクの送信ギャップ区間及び前記アップリンクの送信ギャップ区間を算出し、算出された前記ダウンリンクの送信ギャップ区間と重畳しない前記測定参照区間を順次特定し、順次特定された前記測定参照区間の前記受信信号に基づいて生成される前記下り伝搬路品質情報の送信が想定される想定区間と、前記アップリンクの送信ギャップ区間と重畳しない想定区間と、が最初に一致するときに、前記タイミングを生成する、請求項１記載のコンプレストモードでの下り伝搬路品質情報送信方法。
【請求項３】
前記受信ステップで受信される無線信号が非連続的に送信されたパケットデータ信号である、請求項１記載のコンプレスモードでの下り伝搬路品質情報送信方法。
【請求項４】
コンプレストモードの無線信号を受信する受信手段と、
前記受信手段による受信信号に基づいて測定参照区間毎に下り伝搬路品質情報を生成する下り伝搬路品質情報生成手段と、
前記受信信号から制御パラメータを抽出する抽出手段と、
抽出された前記制御パラメータに基づいてダウンリンクの送信ギャップ区間及びアップリンクの送信ギャップ区間を算出し、算出された前記ダウンリンクの送信ギャップ区間と重畳しない前記測定参照区間の前記受信信号に基づいて生成された前記下り伝搬路品質情報の送信が想定される想定区間と、前記アップリンクの送信ギャップ区間と重畳しない前記想定区間と、が前記ダウンリンクの送信ギャップ区間及び前記アップリンクの送信ギャップ区間が共に終わった後で最初に一致するときに、前記下り伝搬路品質情報を送信するタイミングを生成するタイミング生成手段と、
前記ダウンリンクの送信ギャップ区間と重畳せず、かつ、前記ダウンリンクの送信ギャップ区間が終わった後の前記測定参照区間の前記受信信号に基づいて生成された前記下り伝搬路品質情報を、前記タイミング生成手段によって生成された前記タイミングで送信する送信手段と、を具備する下り伝搬路品質情報送信装置。
【請求項５】
前記タイミング生成手段は、抽出された前記制御パラメータに基づいて前記アップリンクの送信ギャップ区間の終始を監視して、前記下り伝搬路品質情報の送信が想定される想定区間で前記下り伝搬路品質情報を前記アップリンクに送信可能か判定するアップリンク状態判定手段と、
抽出された前記制御パラメータに基づいて前記ダウンリンクの送信ギャップ区間の終始を監視して、前記下り伝搬路品質情報の送信が想定される想定区間に対応する前記測定参照区間が前記ダウンリンクの送信ギャップ区間と重畳しないか判定するダウンリンク状態判定手段と、
前記アップリンク状態判定手段による判定及び前記ダウンリンク状態判定手段による判定の結果が共に肯定的であるときに、前記下り伝搬路品質情報を送信する前記タイミングを生成する決定を行う決定手段と、を具備する請求項４記載の下り伝搬路品質情報送信装置。
【請求項６】
前記タイミング生成手段は、抽出された前記制御パラメータに基づいて前記コンプレストモードで前記下り伝搬路品質情報の送信が予定される予定区間を導出する予定区間導出手段と、
抽出された前記制御パラメータに基づいて前記アップリンクの送信ギャップ区間の終始を監視しつつ、前記アップリンクの送信ギャップ区間と前記予定区間又は前記想定区間とが重畳しないか判定するアップリンク状態判定手段と、
抽出された前記制御パラメータに基づいて前記ダウンリンクの送信ギャップ区間の終始を監視しつつ、前記ダウンリンクの送信ギャップ区間と前記測定参照区間とが重畳しないか判定するダウンリンク状態判定手段と、
前記アップリンク状態判定手段による判定及び前記ダウンリンク状態判定手段による判定の結果が共に肯定的であるときに、前記下り伝搬路品質情報を送信する前記タイミングを生成する決定を行う決定手段と、を具備する請求項４記載の下り伝搬路品質情報送信装置。
【発明の詳細な説明】
【技術分野】
【０００１】  本発明は、自動再送信要求（Ａｕｔｏｍａｔｉｃ  Ｒｅｐｅａｔ  ｒｅＱｕｅｓｔ：ＡＲＱ）技術におけるコンプレスモード（Ｃｏｍｐｒｅｓｓｅｄ  Ｍｏｄｅ：圧縮モード）状態において、データ受信側通信装置がデータ送信側通信装置に対して伝送チャネルの品質を報告する方法及びその装置に関する。
【背景技術】
【０００２】  近年、３ＧＰＰ（３ｒｄ  Ｇｅｎｅｒａｔｉｏｎ  Ｐａｒｔｎｅｒｓｈｉｐ  Ｐｒｏｊｅｃｔ）では、無線通信の伝送速度を飛躍的に向上させるＨＳＤＰＡ方式が検討されている。ＨＳＤＰＡ方式において、ＨＳＤＰＡ用のチャネルとしては基地局から移動局に無線信号を送信するダウンリンク（以下、「ＤＬ」と称する）として、パケットデータ用のチャネルであるＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）と、このＨＳ−ＰＤＳＣＨを受信するために必要なチャネライゼーションコード、多重数及び変調方式等の情報を伝送する制御チャネルであるＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）と、が規定されており、これらのチャネルがセットで送信される。【０００３】  また、ＨＳＤＰＡ方式において、移動局から基地局に無線信号を送信するアップリンク（以下、「ＵＬ」と称する）として、ＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）が規定されており、このＨＳ−ＤＰＣＣＨでは、ＨＳ−ＰＤＳＣＨの無線信号が移動局に正しく受信されたか否かを表すＡＣＫ／ＮＡＣＫ信号と、移動局と基地局との間の下り伝搬路品質情報、具体的にはＣＱＩ：Ｃｈａｎｎｅｌ  Ｑｕａｌｉｔｙ  Ｉｎｄｉｃａｔｏｒが送信される。このＣＱＩは、ＤＬチャネルの一つである共通パイロットチャネルＣＰＩＣＨ（Ｃｏｍｍｏｎ  Ｐｉｌｏｔ  Ｃｈａｎｎｅｌ）から算出されるＳＮＲ（Ｓｉｇｎａｌ  ｔｏ  Ｎｏｉｓｅ  Ｒａｔｉｏ）に基づいて生成されるものであり、そのＳＮＲの測定参照区間はＭｅａｓｕｒｅｍｅｎｔ  Ｒｅｆｅｒｅｎｃｅ  Ｐｅｒｉｏｄと呼ばれる。ＳＮＲは伝搬路状況を示す尺度であるから、基地局は、高いＳＮＲに基づいて生成されたＣＱＩを受信したときには、ＨＳ−ＰＤＳＣＨの伝送レートを上げることができる。【０００４】  図１に、ＨＳ−ＳＣＣＨ、ＨＳ−ＰＤＳＣＨ及びＨＳ−ＤＰＣＣＨそれぞれのフレームフォーマットを示す。ＨＳ−ＳＣＣＨ、ＨＳ−ＰＤＳＣＨ及びＨＳ−ＤＰＣＣＨでは、３スロットでサブフレーム単位が構成される。これらのチャネルの１サブフレームは２ｍｓであるから、ＤＬ−ＤＰＣＨ（Ｄｏｗｎ  Ｌｉｎｋ  Ｄｅｄｉｃａｔｅｄ  Ｐｈｙｓｉｃａｌ  ＣＨａｎｎｅｌ）やＣＰＩＣＨ等の通常の受信チャネルの１フレーム（１０ｍｓ）中には、これらのチャネルの５つのサブフレームが含まれることになる。【０００５】  図２に、ＣＰＩＣＨのフレームフォーマットとＨＳ−ＤＰＣＣＨのより具体的なフレームフォーマットとを示す。ＣＰＩＣＨは１５スロットから構成されており、その単位はフレームと呼ばれる。なお、ＣＰＩＣＨの１フレームは１０ｍｓである。一方、ＨＳ−ＤＰＣＣＨは、任意のサブフレームの最初の１スロットがＡＣＫ／ＮＡＣＫ信号の格納されるＡＣＫ／ＮＡＣＫフィールドであり、その後ろの２スロットがＣＱＩの格納されるＣＱＩフィールドである。また、ＣＰＩＣＨの１フレームに対応するＨＳ−ＤＰＣＣＨは、５つのパケットデータ単位即ちサブフレームで構成される。ＨＳ−ＤＰＣＣＨの５つのサブフレームのそれぞれをＳｕｂｆ���ａｍｅ＃０、Ｓｕｂｆｒａｍｅ＃１、Ｓｕｂｆｒａｍｅ＃２、Ｓｕｂｆｒａｍｅ＃３及びＳｕｂｆｒａｍｅ＃４と標記することにする。【０００６】  図３に、ＳＮＲを測定する際の基準単位となるＣＰＩＣＨの測定参照区間と、ＨＳ−ＳＣＣＨ、ＨＳ−ＰＤＳＣＨ及びＨＳ−ＤＰＣＣＨそれぞれのサブフレームと、のタイミング関係を示す。ＨＳ−ＳＣＣＨのスロットバウンダリとＣＰＩＣＨのスロットバウンダリは常に一致した状態で基地局から送信され、またＨＳ−ＳＣＣＨとＨＳ−ＰＤＳＣＨとは、２スロットのオフセットをつけてサブフレーム単位のセットで送信される。また、ＨＳ−ＰＤＳＣＨのサブフレームに対するＡＣＫ／ＮＡＣＫ信号は、移動局によってそのサブフレームの受信が開始されてから７．５スロット経過後に、ＨＳ−ＤＰＣＣＨのＡＣＫ／ＮＡＣＫフィールドに格納されて、移動局から基地局に送信される。【０００７】  一方で、ＨＳ−ＤＰＣＣＨのサブフレームのＣＱＩフィールドに格納されて送信されるＣＱＩは、移動局によるＨＳ−ＰＤＳＣＨの受信とは無関係に、上位レイヤーから指定される周期毎に即ち測定参照区間毎に、ＤＬに含まれるＣＰＩＣＨから算出されたＳＮＲの値に基づいて生成される。図３において、例えばＣＱＩフィールド（ｎ）で送信されるＣＱＩは、ＣＱＩフィールド（ｎ）の開始時から１スロット前に終了する３スロット分の測定参照区間のＣＰＩＣＨから算出されるＳＮＲに基づいて生成される。【０００８】  また、ＨＳ−ＤＰＣＣＨのＣＱＩフィールドで移動局が実際にＣＱＩを基地局に送信する周期は、上位レイヤーから具体的に指定される。このＣＱＩが実際に送信される周期は、フィードバックサイクル（Ｆｅｅｄｂａｃｋ  Ｃｙｃｌｅ）ｋと称される。【０００９】  図４に、フィードバックサイクルｋ＝１の場合におけるＨＳ−ＤＰＣＣＨのサブフレームの構成と、そのサブフレームのＣＱＩフィールドに対応する測定参照区間と、のタイミング関係を示す。図４より明らかなように、フィードバックサイクルｋ＝１の場合には、ＨＳ−ＤＰＣＣＨの全サブフレームのＣＱＩフィールドにＣＱＩが格納される。また、図５に、フィードバックサイクルｋ＝３の場合におけるＨＳ−ＤＰＣＣＨのサブフレームの構成と、そのサブフレームのＣＱＩフィールドに対応する測定参照区間と、のタイミング関係を示す。図５より明らかなように、フィードバックサイクルｋ＝３の場合には、ＨＳ−ＤＰＣＣＨのサブフレーム単位について３回に１度の頻度でＣＱＩが移動局から基地局に送信される。なお、フィードバックサイクルｋで規定されたＣＱＩが実際に送信されるＨＳ−ＤＰＣＣＨの区間を「予定区間」（なお、図中では「Ｓｃｈｅｄｕｌｅｄ  ｐａｔｔｅｒｎ  ｏｆ  ＣＱＩ  ｒｅｐｏｒｔｓ」と称することがある）と称し、またフィードバックサイクルｋによる規定とは無関係にＨＳ−ＤＰＣＣＨの全てのサブフレームにおけるＣＱＩフィールドを「想定区間」と称す。従って、フィードバックサイクルｋ＝１では、想定区間の全てが予定区間となるが、フィードバックサイクルｋ＝３では、３つの想定区間の中のいずれか１つが予定区間となる。【００１０】  次いで、ＨＳＤＰＡ方式を具体例にして、コンプレストモードについて説明する。��ルラー方式の無線通信では、Ｗ−ＣＤＭＡ方式のセルとＧＳＭ方式のセルとのように異なる通信方式のセル同士で、或いは同一方式のセル同士で異なる周波数帯域を使用する場合があり、このような周波数帯域の異なるセルの間を移動局がハンドオーバーするには、移動局は現在所属するセルの基地局との通信中に他のセルの基地局から送信されてくる他の周波数帯域の信号を受信して、他のセルの基地局に関する制御情報を予め取得しておく必要がある。そこで、ＨＳＤＰＡ方式では、移動局と通信中の基地局が通信に悪影響を及ぼさない範囲でＤＬを使用しない区間（ＤＬ送信ギャップ区間）を設けること、並びに移動局がこのＤＬ送信ギャップ区間中に他のセルの基地局に関する制御情報を取得すること、が規定されている。このように、ＨＳＤＰＡ方式の無線通信において、基地局と移動局との間でその通信を中止する区間を設ける方式をコンプレストモードという。なお、コンプレストモードでは、ＵＬにだけ送信ギャップ区間が設けられる場合やＵＬとＤＬとに共に送信ギャップ区間が設けられる場合もある。また、ＨＳＤＰＡ方式以外の方式におけるコンプレストモードでも、前記の説明とほぼ同様の手法により、移動局から基地局に下り伝搬路品質情報が送信される。【００１１】  図６に、３ＧＰＰで策定中のコンプレストモードでのフィードバックサイクルｋ＝１の場合におけるＤＬ送信ギャップ区間と、測定参照区間と、ＵＬ送信ギャップ区間と、のタイミング関係の一例を示す。なお、ＤＬ送信ギャップ区間とＵＬ送信ギャップ区間とのタイミング関係は、必ずしも図６に示す態様となるわけではなく、コンプレストモードの規定に依存する。【００１２】  測定参照区間とＤＬ送信ギャップ区間とが重畳する場合は、その重畳が測定参照区間の一部だけであっても、その測定参照区間についてはＳＮＲを正確に算出できない。そのため、図６に示すＣＰＩＣＨの測定参照区間Ｒｅｆｅｒｅｎｃｅ  Ｐｅｒｉｏｄｓ＿Ｃは使用されず、その代替としてＤＬ送信ギャップ区間と重畳しない直前の測定参照区間Ｒｅｆｅｒｅｎｃｅ  Ｐｅｒｉｏｄｓ＿Ｂに基づいてＣＱＩが生成され、この生成されたＣＱＩがＵＬ送信ギャップ区間が終わった後のＨＳ−ＤＰＣＣＨの最初の予定区間ＣＱＩ＿Ｃで移動局から基地局に送信される。なお、ＵＬ送信ギャップ区間中の予定区間では、ＣＱＩの代替としてＤＴＸ（Ｄｉｓｃｏｎｔｉｎｕｏｕｓ  Ｔｒａｎｓｍｉｓｓｉｏｎ）がＣＱＩフィールドに格納される。【００１３】  続いて、図７に、コンプレストモードにおけるフィードバックサイクルｋ＝４の場合でのＤＬ送信ギャップ区間と、測定参照区間と、ＵＬ送信ギャップ区間と、のタイミング関係の一例を示す。図７では、フィードバックサイクルｋ＝４であるため、測定参照区間に対する予定区間の出現頻度が１／４となっている。そのため、図７では、ＤＬ送信ギャップ区間と一部重畳する測定参照区間Ｒｅｆｅｒｅｎｃｅ  Ｐｅｒｉｏｄｓ＿Ｅの代替として、ＤＬ送信ギャップ区間と重畳しない直前の測定参照区間Ｒｅｆｅｒｅｎｃｅ  Ｐｅｒｉｏｄｓ＿Ｂの受信信号に基づいてＣＱＩが生成され、この生成されたＣＱＩがＵＬ送信ギャップ区間が終わった後のＨＳ−ＤＰＣＣＨの最初の予定区間ＣＱＩ＿Ｅで移���局から基地局に送信される。これら点については図６とほぼ同様であるが、図７では、フィードバックサイクルｋ＝４であれば本来ＣＱＩの生成には使用されないはずの測定参照区間Ｒｅｆｅｒｅｎｃｅ  Ｐｅｒｉｏｄｓ＿Ｂの受信信号に基づいてＣＱＩが生成されており、さらには測定参照区間Ｒｅｆｅｒｅｎｃｅ  Ｐｅｒｉｏｄｓ＿Ｅの直後の測定参照区間Ｒｅｆｅｒｅｎｃｅ  Ｐｅｒｉｏｄｓ＿Ｆの受信信号に基づいてＣＱＩが特別に生成されて予定区間ではない想定区間ＣＱＩ＿Ｆで移動局から基地局にこのＣＱＩが送信されている。なお、このように予定区間ではない想定区間ＣＱＩ＿Ｆで移動局から基地局に送信されるＣＱＩをエクストラＣＱＩと称す。【００１４】  図６及び図７に示すようなＤＬ送信ギャップ区間と、測定参照区間と、ＵＬ送信ギャップ区間と、のタイミング関係は、非特許文献１に記載されている。
【非特許文献１】Ｔｉｔｌｅ：“ＣＱＩ  ｒｅｐｏｒｔｉｎｇ  ｉｎ  ＤＬ  Ｃｏｍｐｒｅｓｓｅｄ  Ｍｏｄｅ”，Ｓｏｕｒｃｅ：Ｐｈｉｌｉｐｓ，３ＧＰＰ  ＴＳＧ  ＲＡＮ  ＷＧ１＃３３，Ａｇｅｎｄａ  Ｉｔｅｍ：５．３，Ｄｏｃｕｍｅｎｔ  Ｎｏ：Ｔｄｏｃ  Ｒ１−０３０７４２，Ｎｅｗ  Ｙｏｒｋ，ＵＳＡ，２５ｔｈ−２９ｔｈ  Ａｕｇｕｓｔ  ２００３
【発明の開示】
【発明が解決しようとする課題】
【００１５】  しかしながら、図６及び図７に示すような従来のコンプレストモードでのＣＱＩ送信方法では、ＤＬ送信ギャップ区間とＵＬ送信ギャップ区間が同時に出現する場合において、ＵＬ送信ギャップ直後に予定区間がある場合、その予定区間に対する測定参照区間がＤＬギャップと重畳しているために、受信信号に基づくＣＱＩを生成できないことから、このＤＬ送信ギャップ区間が始まる直前に終わった測定参照区間の受信信号に基づいて生成されたＣＱＩが移動局から基地局に送信されることになる。そのため、このＤＬ送信ギャップ区間とＵＬ送信ギャップ区間とが終わった後に最初に送信されるＣＱＩは、伝搬路状況が随時動的に変化していることに鑑みれば、その送信時の伝搬路状況を殆ど反映しておらず、移動局から基地局に送信されても基地局での利用価値が低いものと考えられる。【００１６】  また、従来のコンプレストモードでのＣＱＩ送信方法では、ＤＬ送信ギャップ区間が始まる直前に終わった測定参照区間の受信信号に基づいて生成されたＣＱＩを、ＵＬ送信ギャップ区間が終わった後の最初の想定区間で送信するまで保持し続けなければならないため、このＣＱＩ送信方法を実施するための装置の構成及びその構成部の制御が非常に複雑になる問題がある。【００１７】  さらに、従来のコンプレストモードでのＣＱＩ送信方法では、コンプレストモードでのフィードバックサイクルｋの値が２以上であれば、予定区間に対応しないためＣＱＩの生成に本来使用されないはずの測定参照区間の受信信号に基づいてＣＱＩが生成される場合が生じ、特にＤＬ送信ギャップ区間が始まったときには、その開始時から遡って測定参照区間に基づくＣＱＩが生成されることになるため、測定参照区間毎の受信信号の管理やこの受信信号に基づいてＣＱＩを生成する工程の制御が複雑になる問題もある。【００１８】  本発明の目的は、移動局が従来のコンプレストモードでの下り伝搬路品質情報送信方法とほぼ同等の受信性能を確保でき、かつ、ＵＬで送信される下り伝搬路品質情報を生成するために必要な受信信号の測定等に関する制御が容易なコンプレストモードでの下り伝搬路品質情報送信方法、並びにこの下り伝搬路品質情報送信方法を実施可能で構成が簡素なＣＱＩ送信装置を提供することである。
【課題を解決するための手段】
【００１９】  本発明に係るコンプレストモードでの下り伝搬路品質情報送信方法は、無線信号を受信する受信ステップと、受信信号に基づいて測定参照区間毎に下り伝搬路品質情報を生成する下り伝搬路品質情報生成ステップと、前記受信信号から制御パラメータを抽出する抽出ステップと、抽出された前記制御パラメータに基づいてダウンリンクの送信ギャップ区間及びアップリンクの送信ギャップ区間を算出し、算出された前記ダウンリンクの送信ギャップ区間と重畳しない前記測定参照区間の前記受信信号に基づいて生成された前記下り伝搬路品質情報の送信が想定される想定区間と、前記アップリンクの送信ギャップ区間と重畳しない前記想定区間と、が前記ダウンリンクの送信ギャップ区間及び前記アップリンクの送信ギャップ区間が共に終わった後で最初に一致するときに、前記下り伝搬路品質情報を送信するタイミングを生成するタイミング生成ステップと、前記ダウンリンクの送信ギャップ区間と重畳せず、かつ、前記ダウンリンクの送信ギャップ区間が終わった後の前記測定参照区間の前記受信信号に基づいて生成された前記下り伝搬路品質情報を、前記タイミング生成ステップにおいて生成された前記タイミングで送信する送信ステップと、を具備するようにした。【００２０】  また、本発明に係る下り伝搬路品質情報送信装置は、コンプレストモードの無線信号を受信する受信手段と、前記受信手段による受信信号に基づいて測定参照区間毎に下り伝搬路品質情報を生成する下り伝搬路品質情報生成手段と、前記受信信号から制御パラメータを抽出する抽出手段と、抽出された前記制御パラメータに基づいてダウンリンクの送信ギャップ区間及びアップリンクの送信ギャップ区間を算出し、算出された前記ダウンリンクの送信ギャップ区間と重畳しない前記測定参照区間の前記受信信号に基づいて生成された前記下り伝搬路品質情報の送信が想定される想定区間と、前記アップリンクの送信ギャップ区間と重畳しない前記想定区間と、が前記ダウンリンクの送信ギャップ区間及び前記アップリンクの送信ギャップ区間が共に終わった後で最初に一致するときに、前記下り伝搬路品質情報を送信するタイミングを生成するタイミング生成手段と、前記ダウンリンクの送信ギャップ区間と重畳せず、かつ、前記ダウンリンクの送信ギャップ区間が終わった後の前記測定参照区間の前記受信信号に基づいて生成された前記下り伝搬路品質情報を、前記タイミング生成手段によって生成された前記タイミングで送信する送信手段と、を具備する構成を採る。
【発明の効果】
【００２１】  本発明によれば、移動局が従来のコンプレストモードでの下り伝搬路品質情報送信方法とほぼ同等の受信性能を確保でき、かつ、ＵＬで送信される下り伝搬路品質情報を生成するために必要な受信信号の測定等に関する移動局の各構成部の動作制御を容易に行うことができる。
【図面の簡単な説明】
【００２２】
【図１】ＨＳＤＰＡ方式における複数のチャネルのフレームフォーマットを示す図
【図２】ＨＳＤＰＡ方式におけるＨＳ−ＤＰＣＣＨのフレームフォーマットを示す図
【図３】ＨＳＤＰＡ方式の複数チャネルのサブフレーム間の対応関係を示すタイミング図
【図４】従来のＨＳＤＰＡ方式におけるＣＱＩ送信方法の概要を示すタイミング図
【図５】従来のＨＳＤＰＡ方式におけるＣＱＩ送信方法の概要を示すタイミング図
【図６】従来のコンプレストモードでのＣＱＩ送信方法の概要を示すタイミング図
【図７】従来のコンプレストモードでのＣＱＩ送信方法の概要を示すタイミング図
【図８】本発明の実施の形態に係るＣＱＩ送信装置の構成を示すブロック図
【図９】本発明の実施の形態に係るＣＱＩ送信装置の構成を示すブロック図
【図１０】実施の形態１に係るコンプレストモードでのＣＱＩ送信方法の概要を示すタイミング図
【図１１】実施の形態２に係るコンプレストモードでのＣＱＩ送信方法の概要を示すタイミング図
【発明を実施するための最良の形態】
【００２３】  本発明の骨子は、ＤＬとＵＬとにそれぞれ送信ギャップ区間が出現するコンプレストモード即ち非連続的にＤＬで送信されたパケットデータ信号を受信した場合において、そのＤＬ送信ギャップ区間が始まる前の受信信号に基づいて生成された下り伝搬路品質情報を、そのＤＬ送信ギャップ区間及びＵＬ送信ギャップ区間が共に終わった後に、移動局が基地局に送信しない、ことである。【００２４】  換言すれば、本発明の骨子は、ＤＬとＵＬとにそれぞれ送信ギャップ区間が出現するコンプレストモードおいて、そのＤＬ送信ギャップ区間が始まる前の受信信号に基づいて生成されたＣＱＩを、そのＤＬ送信ギャップ区間が始まった後に破棄する、ことである。【００２５】  以下、本発明の実施の形態について、図面を参照しつつ詳細に説明する。【００２６】  （実施の形態１）
図８に、本発明の実施の形態１に係るＣＱＩ送信装置１００の構成を示す。ＣＱＩ送信装置１００は、ＨＳＤＰＡ方式のコンプレストモードで通信を行う移動局に組み込まれて使用される。【００２７】  ＣＱＩ送信装置１００は、アンテナ素子１１１、アンテナ共用器１１２、ＲｘＲＦ部１１３、受信部１１４、ＣＱＩ生成部１１５、送信部１１６、パラメータ抽出部１１７、ＣＱＩ送信タイミング生成部１１８、ＴｘＲＦ部１１９及びデータ出力端子１２０を具備する。【００２８】  アンテナ素子１１１は、移動局が現在所属しているセルの基地局及び他のセルの基地局から送信されてくる様々な周波数帯域のＣＰＩＣＨ、ＨＳ−ＳＣＣＨ及びＨＳ−ＰＤＳＣＨ等の無線信号を捕捉し、捕捉された信号をアンテナ共用器１１２に入力する。また、アンテナ素子１１１は、アンテナ共用器１１２から入力されてくるＨＳ−ＤＰＣＣＨの送信信号を基地局に対して送信する。【００２９】  アンテナ共用器１１２は、アンテナ素子１１１から入力されてくる受信信号をＲｘＲＦ部１１３に入力すると伴に、ＴｘＲＦ部１１９から入力されてくる送信信号をアンテナ素子１１１に入力する。【００３０】  ＲｘＲＦ部１１３は、公知のバンドパスフィルタ及び低雑音増幅器等を具備して、アンテナ共用器１１２から入力されてくる受信信号を、チャネル別にＣＰＩＣＨとＨＳ−ＳＣＣＨとＨＳ−ＰＤＳＣＨとに分離して、分離されたチャネル別の受信信号をそれぞれ増幅した後に受信部１１４に入力する。【００３１】  受信部１１４は、ＲｘＲＦ部１１３から入力されてくるチャネル別の受信信号に復調処理を施した後に、ＣＰＩＣＨの受信信号をＣＱＩ生成部１１５に入力し、ＨＳ−ＳＣＣＨの受信信号をパラメータ抽出部１１７に入力し、ＨＳ−ＰＤＳＣＨの受信信号をデータ出力端子１２０を介して図示しないベースバンド部に入力する。【００３２】  ＣＱＩ生成部１１５は、受信部１１４から入力されてくるＣＰＩＣＨの受信信号に基づいて測定参照区間毎にそのＳＮＲを公知の手段によって算出し、算出されたＳＮＲに基づいてＣＱＩビットを生成する。生成されたＣＱＩは、測定参照区間毎に順次送信部１１６に入力される。【００３３】  送信部１１６は、バンドパスフィルタ、変調器及びレジスタ等を具備し、ＣＱＩ生成部１１５から入力されてくるＣＱＩを内蔵するレジスタに一時保持し、ＣＱＩ送信タイミング生成部１１８から提供されるタイミングに従ってこのレジスタに保持されたＣＱＩをＨＳ−ＤＰＣＣＨのＣＱＩフィールドに格納し、その後このＨＳ−ＤＰＣＣＨの送信信号に変調処理を施してＴｘＲＦ部１１９に入力する。送信部１１６は、このようにＣＱＩ送信タイミング生成部１１８からタイミングが提供されたときには、そのタイミングに従って内蔵するレジスタに保持されたＣＱＩをＨＳ−ＤＰＣＣＨのＣＱＩフィールドに格納し変調した後にＴｘＲＦ部１１９に入力する。一方で、送信部１１６は、ＨＳ−ＤＰＣＣＨの想定区間が到来してもＣＱＩ送信タイミング生成部１１８からタイミングが提供されないときには、そのＣＱＩフィールドにＤＴＸを格納して変調した後にＴｘＲＦ部１１９に入力する。また、送信部１１６は、ＣＱＩ生成部１１５から入力されてくるＣＱＩを次に到来す���想定区間でＨＳ−ＤＰＣＣＨのＣＱＩフィールドに格納したときには、その格納と同時にＣＱＩを破棄して保持しないようにし、またそのＣＱＩフィールドに格納しないときでも、そのＣＱＩを以後使用することはないため、ＣＱＩ生成部１１５から次のＣＱＩが入力されてくる際にレジスタを上書きすることによって破棄する。【００３４】  パラメータ抽出部１１７は、受信部１１４から入力されてくるＨＳ−ＳＣＣＨの受信信号からコンプレストモードの態様を把握するためやＣＱＩを送信するタイミングを生成するために必要なチャネライゼーションコード、多重数及び変調方式等の情報を示す制御パラメータを抽出し、抽出された制御パラメータをＣＱＩ送信タイミング生成部１１８に入力する。【００３５】  ＣＱＩ送信タイミング生成部１１８は、パラメータ抽出部１１７から入力されてくる制御パラメータに基づいてコンプレストモードにおけるＤＬ送信ギャップ区間及びＵＬ送信ギャップ区間の始めと終わりの時刻やフィードバックサイクルｋの値等の情報を取得する。また、ＣＱＩ送信タイミング生成部１１８は、ＤＬ送信ギャップ区間が終わった後に始まる測定参照区間の受信信号に基づいて生成されたＣＱＩをＤＬ送信ギャップ区間及びＵＬ送信ギャップ区間が終わった後に最初に送信するタイミングを生成して、このタイミングを送信部１１６に提供する。【００３６】  ＴｘＲＦ部１１９は、バンドパスフィルタ、低雑音増幅器及び周波数変換機等を具備し、送信部１１６から入力されてくるＨＳ−ＤＰＣＣＨの送信信号に周波数変換・増幅等の所定の信号処理を施した後に、アンテナ共用器１１２に入力する。【００３７】  また、図９に、本実施の形態に係るＣＱＩ送信装置１００におけるＣＱＩ送信タイミング生成部１１８の構成を示す。ＣＱＩ送信タイミング生成部１１８は、予定区間導出部２１１、ＤＬ状態判定部２１２、ＵＬ状態判定部２１３及びＣＱＩ送信タイミング決定部２１４を具備する。【００３８】  予定区間導出部２１１は、パラメータ抽出部１１７から入力されてくる制御パラメータに基づいて通信中のＵＬについてのフィードバックサイクルｋの値を識別し、このフィードバックサイクルｋの値に応じた周期でＤＬ状態判定部２１２及びＵＬ状態判定部２１３に予定区間の到来を通知する信号を入力する。【００３９】  ＤＬ状態判定部２１２は、予定区間導出部２１１から予定区間の通知信号を入力されたときに、以下の動作を行う。ＤＬ状態判定部２１２は、パラメータ抽出部１１７から入力されてくる制御パラメータに基づいてＤＬ送信ギャップ区間を算出し、算出されたＤＬ送信ギャップ区間の情報と、予定区間導出部２１１からの予定区間の通知信号と、を対比することによって、その予定区間に対応する測定参照区間がＤＬ送信ギャップ区間と重畳しないか判定する。即ち、ＤＬ状態判定部２１２は、この対比動作とほぼ同時刻にＣＱＩ生成部１１５で生成されて送信部１１６に保持されるＣＱＩがＤＬ送信ギャップ区間と重畳しない測定参照区間の受信信号に基づいて生成されたＣＱＩであるか否かを判定する。ＤＬ状態判定部２１２は、この判定結果が肯定的即ち送信部１１６に保持されているＣＱＩがＤＬ送信ギャップ区間と重畳しない測定参照区間の受���信号に基づいて生成されたＣＱＩであると判定したときには、判定結果が肯定的である旨を通知する信号をＣＱＩ送信タイミング決定部２１４に入力する。一方で、ＤＬ状態判定部２１２は、この判定結果が否定的即ち送信部１１６に保持されているＣＱＩがＤＬ送信ギャップ区間と重畳する測定参照区間の受信信号に基づいて生成されたＣＱＩであると判定したときには、ＣＱＩ送信タイミング決定部２１４に対して判定結果が否定的である旨を通知し、その後ＤＬ送信ギャップ区間と重畳しない測定参照区間の受信信号に基づいて生成されたＣＱＩであると判断されるまで、同様の動作を行う。即ち、ＤＬ状態判定部２１２は、一度否定的な判定を行うと、その次の予定区間（フィードバックサイクルｋが２以上の場合は、想定区間）に対応する測定参照区間がＤＬ送信ギャップ区間と重畳していないか判定し、肯定的な判定結果が得られるまで判定を繰り返す。そして、ＤＬ状態判定部２１２は、その肯定的な判定結果が得られた測定参照区間に対応する予定区間又は想定区間で、判定結果が肯定的である旨を通知する信号をＣＱＩ送信タイミング決定部２１４に入力する。また、ＤＬ状態判定部２１２は、通常は予定区間導出部２１１から予定区間の通知信号を入力されるまで上記一連の動作を行わないが、ＣＱＩ送信タイミング決定部２１４から判定要請信号を入力されたときには、次に到来する測定参照区間がＤＬ送信ギャップ区間と重畳しないか判定する。なお、ＣＱＩ送信タイミング決定部２１４から入力されてくる判定要請信号については後述する。【００４０】  ＵＬ状態判定部２１３は、予定区間導出部２１１から予定区間の通知信号を入力されたときに、以下の動作を行う。ＵＬ状態判定部２１３は、パラメータ抽出部１１７から入力されてくる制御パラメータに基づいてＵＬ送信ギャップ区間を算出し、算出されたＵＬ送信ギャップ区間と次に到来する予定区間とが重畳しないか判定する。ＵＬ状態判定部２１３は、この判定結果が肯定的即ちＵＬ送信ギャップ区間と次に到来する予定区間とが重畳しないと判定したときには、判定結果が肯定的である旨を通知する信号をＣＱＩ送信タイミング決定部２１４に入力する。一方で、ＵＬ状態判定部２１３は、この判定結果が否定的即ちＵＬ送信ギャップ区間と次に到来する予定区間とが重畳すると判定したときには、ＣＱＩ送信タイミング決定部２１４に対して判定結果が否定的である旨を通知し、ＵＬ送信ギャップと重畳しない予定区間と判断されるまで、同様の動作を行う。即ち、ＵＬ状態判定部２１３では、一度否定的な判定を行うと、その次の予定区間（フィードバックサイクルｋが２以上の場合は、想定区間）がＵＬ送信ギャップ区間と重畳してないか判定し、肯定的な判定結果が得られるまで判定を繰り返す。そして、ＵＬ状態判定部２１３は、その肯定的な判定結果が得られた予定区間又は想定区間で、判定結果が肯定的である旨を通知する信号をＣＱＩ送信タイミング決定部２１４に入力する。また、ＵＬ状態判定部２１３は、通常は予定区間導出部２１１から予定区間の通知信号を入力されるまで上記一連の動作を行わないが、ＣＱＩ送信タイミング決定部２１４から判定要請信号を入力されたときには、次に到来する想定区間がＵＬ��信ギャップ区間と重畳しないか判定する。なお、ＣＱＩ送信タイミング決定部２１４から入力されてくる判定要請信号については後述する。【００４１】  ＣＱＩ送信タイミング決定部２１４は、ＤＬ状態判定部２１２による判定及びＵＬ状態判定部２１３による判定の結果が共に肯定的であるとき即ちＤＬ状態判定部２１２及びＵＬ状態判定部２１３から共に肯定的である旨を通知する信号が入力されてきたときに限り、送信部１１６に保持されているＣＱＩを送信するタイミングを生成する決定を行うと伴に、その生成されたタイミングを送信部１１６に提供する。また、ＣＱＩ送信タイミング決定部２１４は、ＤＬ状態判定部２１２又はＵＬ状態判定部２１３から判定結果が否定的である旨を通知する信号が入力されてきたときには、ＤＬ状態判定部２１２に対して次の測定参照区間がＤＬ送信ギャップ区間と重畳するか判定してその判定結果を入力するように、同様にＵＬ状態判定部２１３に対して次の想定区間がＵＬ送信ギャップ区間と重畳するか判定してその判定結果を入力するように要請する判定要請信号を、ＤＬ状態判定部２１２及びＵＬ状態判定部２１３に同時に入力する。この判定要請信号は、フィードバックサイクルｋが２以上であるときに、エクストラＣＱＩが送信されるまでＤＬ状態判定部２１２及びＵＬ状態判定部２１３に繰り返し入力される。【００４２】  次いで、本実施の形態に係るＣＱＩ送信装置の動作について、本実施の形態に係るコンプレストモードでのＣＱＩ送信方法の実施態様と共に詳細に説明する。図１０に、本実施の形態に係るＣＱＩ送信方法の概要を図６に準じて示す。なお、本実施の形態では、コンプレストモードによってフィードバックサイクルｋ＝１と規定されているものとする。【００４３】  図１０に示す本実施の形態に係るＣＱＩ送信方法では、測定参照区間Ｒｅｆｅｒｅｎｃｅ  Ｐｅｒｉｏｄｓ＿Ｃの一部がＤＬ送信ギャップ区間と重畳しているため、測定参照区間Ｒｅｆｅｒｅｎｃｅ  Ｐｅｒｉｏｄｓ＿Ｃの受信信号に基づいて生成されたＣＱＩをＵＬのＨＳ−ＤＰＣＣＨにおけるＣＱＩフィールドＣＱＩ＿Ｃに格納して基地局に送信することができない。図６に示す従来のコンプレストモードでのＣＱＩ送信方法であれば、ＤＬ送信ギャップ区間が始まる直前に終わった測定参照区間Ｒｅｆｅｒｅｎｃｅ  Ｐｅｒｉｏｄｓ＿Ｂの受信信号に基づいて生成されたＣＱＩをＵＬのＨＳ−ＤＰＣＣＨにおけるＣＱＩフィールドＣＱＩ＿Ｃに格納して基地局に送信するところであるが、本実施の形態に係るＣＱＩ送信装置１００では、ＣＱＩ生成部１１５によって測定参照区間Ｒｅｆｅｒｅｎｃｅ  Ｐｅｒｉｏｄｓ＿Ｂの受信信号に基づいて生成されたＣＱＩはＤＬギャップ区間が始まった後に送信部１１６によって自動的に破棄されるため、このＣＱＩをＣＱＩフィールドＣＱＩ＿Ｃに格納して基地局に送信することはできない。そこで、本実施の形態に係るＣＱＩ送信方法では、図６におけるＣＱＩフィールドＣＱＩ＿Ｃに相当する想定区間のＣＱＩフィールドに送信部１１６によってＤＴＸを格納して基地局に送信する。従って、本実施の形態に係るＣＱＩ送信方法では、ＤＬ送信ギャップ区間が終わった後に最初に送信されるＣＱＩは、測定参照区間Ｒｅｆｅｒｅｎｃｅ  Ｐｅｒｉｏｄｓ＿Ｄの受信信号に基づいて生成されたＣＱＩとなる。【００４４】  このように本実施の形態に係るＣＱＩ送信方法では、ＤＬ送信ギャップ区間が始まってからＣＱＩフィールドＣＱＩ＿Ｄが到来するまで移動局から基地局にＣＱＩが送信されないことになるが、図６に示す従来のＣＱＩ送信方法において、ＣＱＩフィールドＣＱＩ＿Ｃで送信されていたＣＱＩは実質的に利用価値の低いものであったことから、本実施の形態に係るＣＱＩ送信方法が従来のＣＱＩ送信方法と比較して移動局の受信性能を目立って低下させることはない。【００４５】  続いて、本実施の形態に係るコンプレストモードでのＣＱＩ送信方法について、ＣＱＩ送信タイミング生成部１１８に具備される各構成部の動作を具体的に説明する。ＤＬ状態判定部２１２及びＵＬ状態判定部２１３はどちらも、パラメータ抽出部１１７から入力されてくる制御パラメータに基づいて図１０に示す態様でＤＬ送信ギャップ区間及びＵＬ送信ギャップ区間が始まりまた終わることを予め把握している。また、ＤＬ状態判定部２１２は、ＤＬ送信ギャップ区間と一部でも重畳するＤＬのＣＰＩＣＨのサブフレームを計算によって予め特定している。同様に、ＵＬ状態判定部２１３も、ＵＬ送信ギャップと一部でも重畳するＵＬのＨＳ−ＤＰＣＣＨのサブフレーム又は予定区間を計算によって予め特定している。【００４６】  図１０に示す測定参照区間Ｒｅｆｅｒｅｎｃｅ  Ｐｅｒｉｏｄｓ＿Ａ内の任意の時刻において、予定区間導出部２１１は、ＵＬのＨＳ−ＤＰＣＣＨにおけるＣＱＩフィールドＣＱＩ＿Ａが予定区間に該当するか判定し、ＣＱＩフィールドＣＱＩ＿Ａが予定区間に該当するときには、次に到来するＣＱＩフィールドＣＱＩ＿Ａが予定区間に該当する旨の信号をＤＬ状態判定部２１２及びＵＬ状態判定部２１３に入力する。なお、本実施の形態では、フィードバックサイクルｋ＝１であるから、ＣＱＩフィールドＣＱＩ＿Ａ以後に到来する全てのＣＱＩフィールドが予定区間に該当することになる。【００４７】  また、図１０に示す測定参照区間Ｒｅｆｅｒｅｎｃｅ  Ｐｅｒｉｏｄｓ＿Ａ内の任意の時刻において、ＵＬ状態判定部２１３は、予定区間導出部２１１から次に到来するＣＱＩフィールドＣＱＩ＿Ａが予定区間に該当する旨の信号を入力されたときに、次に到来するＣＱＩフィールドＣＱＩ＿Ａがその一部でもＵＬ送信ギャップ区間と重畳しないか判定し、その判定結果が肯定的であるとき即ちＵＬ送信ギャップ区間と次に到来するＣＱＩフィールドＣＱＩ＿Ａとが重畳しないと判定されたときに、判定結果が肯定的である旨を通知する信号をＣＱＩ送信タイミング決定部２１４に入力する。このように、予定区間導出部２１１及びＵＬ状態判定部２１３は、任意の測定参照区間内において、この測定参照区間の次のサブフレームにおけるＣＱＩフィールドでＣＱＩを送信できるか判定することになる。【００４８】  一方で、図１０に示す測定参照区間Ｒｅｆｅｒｅｎｃｅ  Ｐｅｒｉｏｄｓ＿Ａ内の任意の時刻において、ＤＬ状態判定部２１２は、測定参照区間Ｒｅｆｅｒｅｎｃｅ  Ｐｅｒｉｏｄｓ＿ＡがＤＬ送信ギャップ区間と一部でも重畳しないか判定し、この判定結果が肯定的であるとき即ち測定参照区間Ｒｅ���ｅｒｅｎｃｅ  Ｐｅｒｉｏｄｓ＿ＡがＤＬ送信ギャップ区間と重畳しないと判定されたときに、判定結果が肯定的である旨を通知する信号をＣＱＩ送信タイミング決定部２１４に入力する。このように、ＤＬ状態判定部２１２は、ある測定参照区間内の任意の時刻において、この測定参照区間の受信信号に基づいて生成されたＣＱＩが伝搬路状況を正確に反映したものであるかを判定することになる。【００４９】  図１０に示す測定参照区間Ｒｅｆｅｒｅｎｃｅ  Ｐｅｒｉｏｄｓ＿Ａについて、ＵＬ状態判定部２１３は、ＣＱＩフィールドＣＱＩ＿ＡがＵＬ送信ギャップ区間と重畳していないことから、ＣＱＩフィールドＣＱＩ＿ＡでＣＱＩを送信することが可能であると判定し、その肯定的な判定結果をＣＱＩ送信タイミング決定部２１４に入力する。また、図１０に示す測定参照区間Ｒｅｆｅｒｅｎｃｅ  Ｐｅｒｉｏｄｓ＿Ａについて、ＤＬ状態判定部２１２は、測定参照区間Ｒｅｆｅｒｅｎｃｅ  Ｐｅｒｉｏｄｓ＿ＡがＤＬ送信ギャップ区間と重畳していないことから、測定参照区間Ｒｅｆｅｒｅｎｃｅ  Ｐｅｒｉｏｄｓ＿Ａの受信信号に基づいて生成されたＣＱＩが伝搬路状況を十分に反映した使用可能なものであると判定し、その肯定的な判定結果をＣＱＩ送信タイミング決定部２１４に入力する。従って、図１０に示す測定参照区間Ｒｅｆｅｒｅｎｃｅ  Ｐｅｒｉｏｄｓ＿Ａについて、ＣＱＩ送信タイミング決定部２１４は、ＤＬ状態判定部２１２及びＵＬ状態判定部２１３から共に肯定的な判定結果を入力されることになるため、送信部１１６に保持されている測定参照区間Ｒｅｆｅｒｅｎｃｅ  Ｐｅｒｉｏｄｓ＿Ａの受信信号に基づいて生成されたＣＱＩを送信するタイミングを生成する決定を行うと伴に、その生成されたタイミングを送信部１１６に提供する。そして、送信部１１６は、ＣＱＩ送信タイミング決定部２１４から提供されるタイミングに従って、保持するＣＱＩをＵＬのＣＱＩフィールドＣＱＩ＿Ａに格納して基地局に対して送信することになる。【００５０】  続いて、図１０に示す測定参照区間Ｒｅｆｅｒｅｎｃｅ  Ｐｅｒｉｏｄｓ＿Ｂについて、ＵＬ状態判定部２１３は、ＣＱＩフィールドＣＱＩ＿ＢがＵＬ送信ギャップ区間と重畳することから（ＣＱＩフィールドＣＱＩ＿Ｂは図示されていない）、ＣＱＩフィールドＣＱＩ＿ＢでＣＱＩを送信することはできないと判定する。そのため、この測定参照区間Ｒｅｆｅｒｅｎｃｅ  Ｐｅｒｉｏｄｓ＿Ｂについて、ＵＬ状態判定部２１３は、ＣＱＩ送信タイミング決定部２１４に判定結果が否定的ある旨の信号を入力する。従って、図１０に示す測定参照区間Ｒｅｆｅｒｅｎｃｅ  Ｐｅｒｉｏｄｓ＿Ｂについて、ＣＱＩ送信タイミング決定部２１４は、ＵＬ状態判定部２１３から判定結果が肯定的である旨の信号が入力されないため、送信部１１６に保持されている測定参照区間Ｒｅｆｅｒｅｎｃｅ  Ｐｅｒｉｏｄｓ＿Ｂの受信信号に基づいて生成されたＣＱＩを送信するタイミングを生成する決定を行うことができない。そのため、送信部１１６は、図１０に示す測定参照区間Ｒｅｆｅｒｅｎｃｅ  Ｐｅｒｉｏｄｓ＿Ｂについて、ＣＱＩ送信タイミング決定部２１４からタイミングが提供されないことから、ＵＬのＨＳ−ＤＰＣＣＨのＣＱＩフィールドＣＱＩ＿ＢにＤＴＸを格納して基地局に送信することになる。【００５１】  続いて、図１０に示す測定参照区間Ｒｅｆｅｒｅｎｃｅ  Ｐｅｒｉｏｄｓ＿Ｃについて、ＤＬ状態判定部２１２は、測定参照区間Ｒｅｆｅｒｅｎｃｅ  Ｐｅｒｉｏｄｓ＿Ｃの一部がＤＬ送信ギャップ区間と重畳していることから、測定参照区間Ｒｅｆｅｒｅｎｃｅ  Ｐｅｒｉｏｄｓ＿Ｃの受信信号に基づいて生成されたＣＱＩは使用できないものであると判定する。そのため、この測定参照区間Ｒｅｆｅｒｅｎｃｅ  Ｐｅｒｉｏｄｓ＿Ｃについて、ＤＬ状態判定部２１２は、ＣＱＩ送信タイミング決定部２１４に判定結果が否定的である旨の信号を入力する。従って、図１０に示す測定参照区間Ｒｅｆｅｒｅｎｃｅ  Ｐｅｒｉｏｄｓ＿Ｃについて、ＣＱＩ送信タイミング決定部２１４は、ＤＬ状態判定部２１２から肯定的な判定結果に基づく信号が入力されないため、送信部１１６に保持されている測定参照区間Ｒｅｆｅｒｅｎｃｅ  Ｐｅｒｉｏｄｓ＿Ｃの受信信号に基づいて生成されたＣＱＩを送信するタイミングを生成する決定を行うことができない。そのため、送信部１１６は、図１０に示す測定参照区間Ｒｅｆｅｒｅｎｃｅ  Ｐｅｒｉｏｄｓ＿ＣについてＣＱＩ送信タイミング決定部２１４からタイミングが提供されないことから、ＣＱＩフィールドＣＱＩ＿Ｃ（図６を参照）にＤＴＸを格納して基地局に送信することになる。【００５２】  続いて、図１０に示す測定参照区間Ｒｅｆｅｒｅｎｃｅ  Ｐｅｒｉｏｄｓ＿Ｄについて、ＵＬ状態判定部２１３は、ＣＱＩフィールドＣＱＩ＿ＤがＵＬ送信ギャップ区間と重畳していないことから、ＣＱＩフィールドＣＱＩ＿ＤでＣＱＩを送信することが可能であると判定し、その肯定的な判定結果をＣＱＩ送信タイミング決定部２１４に入力する。また、図１０に示す測定参照区間Ｒｅｆｅｒｅｎｃｅ  Ｐｅｒｉｏｄｓ＿Ｄについて、ＤＬ状態判定部２１２は、測定参照区間Ｒｅｆｅｒｅｎｃｅ  Ｐｅｒｉｏｄｓ＿ＤがＤＬ送信ギャップ区間と重畳していないことから、測定参照区間Ｒｅｆｅｒｅｎｃｅ  Ｐｅｒｉｏｄｓ＿Ｄの受信信号に基づいて生成されたＣＱＩが使用可能なものであると判定し、その肯定的な判定結果をＣＱＩ送信タイミング決定部２１４に入力する。従って、図１０に示す測定参照区間Ｒｅｆｅｒｅｎｃｅ  Ｐｅｒｉｏｄｓ＿Ｄについて、ＣＱＩ送信タイミング決定部２１４は、ＤＬ状態判定部２１２及びＵＬ状態判定部２１３から共に肯定的な判定結果を入力されることになるため、送信部１１６に保持されている測定参照区間Ｒｅｆｅｒｅｎｃｅ  Ｐｅｒｉｏｄｓ＿Ｄの受信信号に基づいて生成されたＣＱＩを送信するタイミングを生成する決定を行うと伴に、その生成されたタイミングを送信部１１６に提供する。そして、送信部１１６は、ＣＱＩ送信タイミング決定部２１４から提供されるタイミングに従って、ＣＱＩフィールドＣＱＩ＿Ｄで送信部１１６に保持されているＣＱＩを基地局に対して送信することになる。【００５３】  このように、本実施の形態に係るＣＱＩ送信装置１００によれば、コンプレストモードの規定に応じてＣＱＩを送信するタイミングが必要なときに限り、そのタイミングがＣＱＩ送信タイミング生成部１１８によって生成され、またＤＬ送信ギ���ップ区間が始まったときには、その開始時から遡ってまでＣＱＩ生成部１１５が測定参照区間Ｒｅｆｅｒｅｎｃｅ  Ｐｅｒｉｏｄｓ＿Ｂの受信信号に基づくＣＱＩを生成する必要がなくなり、かつ、送信部１１６がその開始時までの測定参照区間の受信信号に基づいて生成されたＣＱＩをその開始時以後保持しておく必要がなくなるため、ＣＱＩ生成部１１５は遡及的なＣＱＩの生成に備えて複数の測定参照区間の受信信号を保持しておく必要がなくなり、また送信部１１６はＣＱＩ生成部１１５から測定参照区間毎に入力されてくるＣＱＩを次のＣＱＩが入力されてくるまでに送信しない場合には単に破棄するだけでよくなることから、ＣＱＩ生成部１１５が複数の測定参照区間の受信信号を保持し続けるため又は送信部１１６が複数のＣＱＩを保持し続けるためのレジスタ等を具備する必要がなくなり、それら構成部を簡素化できると伴に、それら構成部を容易に動作制御することができるようになる。【００５４】  また、本実施の形態に係るコンプレストモードでのＣＱＩ送信方法によれば、ＤＬ送信ギャップ区間が始まる直前で終了する測定参照区間Ｒｅｆｅｒｅｎｃｅ  Ｐｅｒｉｏｄｓ＿Ｂの受信信号に基づいて生成されたＣＱＩが、このＤＬ送信ギャップ区間とＵＬ送信ギャップ区間とが終了した後の予定区間ＣＱＩ＿Ｃで送信されることを回避できるため、測定参照区間Ｒｅｆｅｒｅｎｃｅ  Ｐｅｒｉｏｄｓ＿Ｂの受信信号に基づいて生成されたＣＱＩをＤＬ送信ギャップ区間が始まった後は保持しておく必要がなくなることから、測定参照区間毎に順次生成されるＣＱＩを容易に管理できるようになる。加えて、本実施の形態に係るコンプレストモードでのＣＱＩ送信方法によれば、測定参照区間Ｒｅｆｅｒｅｎｃｅ  Ｐｅｒｉｏｄｓ＿Ｂの受信信号に基づいて生成されたＣＱＩをＤＬ送信ギャップ区間が始まったときに破棄してしまっても、その後遡及的に測定参照区間Ｒｅｆｅｒｅｎｃｅ  Ｐｅｒｉｏｄｓ＿Ｂの受信信号に基づいてＣＱＩを再度生成することはないため、測定参照区間毎に順次生成されるＣＱＩの管理がより一層容易になる。【００５５】  さらに、本実施の形態に係るコンプレストモードでのＣＱＩ送信方法によれば、ＤＬ送信ギャップ区間が終わった後に始まる測定参照区間Ｒｅｆｅｒｅｎｃｅ  Ｐｅｒｉｏｄｓ＿Ｄの受信信号に基づいて生成されたＣＱＩが、ＤＬ送信ギャップ区間とＵＬ送信ギャップ区間とが終わった時から１サブフレーム分だけ遅れて予定区間であるＣＱＩフィールドＣＱＩ＿Ｄで移動局から基地局に送信されるため、移動局の受信性能を従来のＣＱＩ送信方法とほぼ同等に保つことができる。【００５６】  （実施の形態２）
図１１に、本発明の実施の形態２に係るコンプレストモードでのＣＱＩ送信方法の概要を図７に準じて示す。本実施の形態に係るＣＱＩ送信方法は、フィードバックサイクルｋ＝１がフィードバックサイクルｋ＝４に変更された点と、ＵＬのＨＳ−ＤＰＣＣＨにおいてＵＬ送信ギャップ区間が終わった後に２サブフレーム分のＵＬ送信ギャップ区間が新たに付加された点と、で実施の形態１に係るコンプレストモードでのＣＱＩ送信方法と相違する。また、本実施の形態に係るＣＱＩ送信装置は、実施の形態１で使用されたＣＱＩ送信装置１００と同一の構成からなる。従って、本実施の形態では、重複説明を避けるため、実施の形態１と相違する点についてのみ以下で具体的に説明する。【００５７】  本実施の形態では、フォードバックサイクルｋ＝４であることから、ＵＬのＨＳ−ＤＰＣＣＨにおける想定区間の４回に１度の頻度で予定区間が出現することになる。図１１では、実施の形態１におけるＣＱＩ送信方法と対比し易くするため、ＵＬ送信ギャップ区間が終わった直後の想定区間が予定区間となるように、この想定区間をＣＱＩフィールドＣＱＩ＿Ｅとし、またこれに対応する測定参照区間をＲｅｆｅｒｅｎｃｅ  Ｐｅｒｉｏｄｓ＿Ｅとする。従って、図１１に示すＣＱＩフィールドＣＱＩ＿Ｅ及び測定参照区間Ｒｅｆｅｒｅｎｃｅ  Ｐｅｒｉｏｄｓ＿ＥまでのＣＱＩ送信装置１００の動作は、図１０に示すＣＱＩフィールドＣＱＩ＿Ｃ及び測定参照区間Ｒｅｆｅｒｅｎｃｅ  Ｐｅｒｉｏｄｓ＿ＣまでのＣＱＩ送信装置１００の動作と実質的に同一である。【００５８】  そこで、本実施の形態では、図１１に示す測定参照区間Ｒｅｆｅｒｅｎｃｅ  Ｐｅｒｉｏｄｓ＿Ｆ以後におけるコンプレストモードでのＣＱＩ送信方法及びＣＱＩ送信装置１００の各構成部の動作について具体的に説明する。【００５９】  図１１に示すように、予定区間ＣＱＩ＿Ｅに対応する測定参照区間Ｒｅｆｅｒｎｃｅ  Ｐｅｒｉｏｄ＿ＥがＤＬ送信ギャップ区間と一部重畳しているために、ＤＬ状態判定部２１２は、測定参照区間Ｒｅｆｅｒｎｃｅ  Ｐｅｒｉｏｄ＿Ｅについての判定結果が否定的である旨の信号をＣＱＩ送信タイミング決定部２１４に入力する。従って、測定参照区間Ｒｅｆｅｒｎｃｅ  Ｐｅｒｉｏｄ＿Ｆ以後でエクストラＣＱＩが送信されるまでは、ＣＱＩ送信タイミング決定部２１４からＤＬ状態判定部２１２及びＵＬ状態判定部２１３に判定要請信号が入力されることになる。【００６０】  ＤＬ状態判定部２１２は、ＣＱＩ送信タイミング決定部２１４から入力されてくる判定要請信号に応じて、測定参照区間Ｒｅｆｅｒｅｎｃｅ  Ｐｅｒｉｏｄｓ＿Ｆから測定参照区間Ｒｅｆｅｒｅｎｃｅ  Ｐｅｒｉｏｄｓ＿Ｈまでについて、判定結果が肯定的である旨の信号をＣＱＩ送信タイミング決定部２１４に逐次入力する。【００６１】  一方で、ＵＬ状態判定部２１３は、測定参照区間Ｒｅｆｅｒｎｃｅ  Ｐｅｒｉｏｄ＿ＥについてのＣＱＩ送信タイミング決定部２１４から入力されてくる判定要請信号に応じて、先ず測定参照区間Ｒｅｆｅｒｎｃｅ  Ｐｅｒｉｏｄ＿Ｆに対応する想定区間のＣＱＩフィールドＣＱＩ＿ＦがＵＬ送信ギャップ区間と重畳しないか判定する。図１１より明らかなように、ＣＱＩフィールドＣＱＩ���ＦはＵＬ送信ギャップ区間と重畳するため、ＵＬ状態判定部２１３は、その判定結果が否定的である旨を通知する信号をＣＱＩ送信タイミング決定部２１４に入力する。そして、この信号を入力されたＣＱＩ送信タイミング決定部２１４は、次のＣＱＩフィールドＣＱＩ＿ＧがＵＬ送信ギャップ区間と重畳しないか判定するようにＵＬ状態判定部２１３に判定要請信号を入力し、同時にＣＱＩフィールドＣＱＩ＿Ｇに対応する測定参照区間Ｒｅｆｅｒｎｃｅ  Ｐｅｒｉｏｄ＿ＧがＤＬ送信ギャップ区間と重畳しないか判定するようにＤＬ状態判定部２１２に判定要請信号を入力する。この判定要請信号を入力されたＵＬ状態判定部２１３は、想定区間のＣＱＩフィールドＣＱＩ＿Ｇについても上記同様の判定を行い、図１１より明らかなように、ＣＱＩフィールドＣＱＩ＿Ｇについても判定結果が否定的である旨を通知する信号をＣＱＩ送信タイミング決定部２１４に入力することになる。そして、再度この信号を入力されたＣＱＩ送信タイミング決定部２１４は、次のＣＱＩフィールドＣＱＩ＿ＨがＵＬ送信ギャップ区間と重畳しないか判定するようにＵＬ状態判定部２１３に判定要請信号を入力し、同時にＣＱＩフィールドＣＱＩ＿Ｈに対応する測定参照区間Ｒｅｆｅｒｎｃｅ  Ｐｅｒｉｏｄ＿ＨがＤＬ送信ギャップ区間と重畳しないか判定するようにＤＬ状態判定部２１２に判定要請信号を入力する。この判定要請信号を入力されたＵＬ状態判定部２１３は、想定区間のＣＱＩフィールドＣＱＩ＿Ｈについても上記同様の判定を行い、図１１より明らかなように、ＣＱＩフィールドＣＱＩ＿Ｈについて判定結果が肯定的である旨を通知する信号をＣＱＩ送信タイミング決定部２１４に入力することになる。また、このときＣＱＩ送信タイミング決定部２１４には、ＤＬ状態判定部２１２からも測定参照区間Ｒｅｆｅｒｎｃｅ  Ｐｅｒｉｏｄ＿Ｈについては判定結果が肯定的である旨を通知する信号が入力されてくる。従って、ＣＱＩ送信タイミング決定部２１４は、想定区間であるＣＱＩフィールドＣＱＩ＿ＨにおいてエクストラＣＱＩを送信する決定を行い、その決定を通知するタイミングを生成して、生成されたタイミングを送信部１１６に提供する。【００６２】  送信部１１６は、想定区間であるＣＱＩフィールドＣＱＩ＿Ｆ及びＣＱＩフィールドＣＱＩ＿Ｇについては、ＣＱＩ送信タイミング生成部１１８からタイミングが提供されないため、これらのＣＱＩフィールドにＤＴＸを格納して送信し、ＣＱＩフィールドＣＱＩ＿ＨにおいてＣＱＩを送信することになる。【００６３】  このように、本実施の形態に係るコンプレストモードでのＣＱＩ送信方法及びＣＱＩ送信装置１００によれば、フィードバックサイクルｋの値が２以上で、かつ、ＤＬ送信ギャップ区間及びＵＬ送信ギャップ区間が終わった後に新たにＵＬ送信ギャップ区間が付加された場合でも、予定区間のＣＱＩフィールドＣＱＩ＿Ｉが到来する前の想定区間であるＣＱＩフィールドＣＱＩ＿Ｈにおいて、伝搬路状況を十分に反映したＣＱＩが移動局から基地局に送信されるため、コンプレストモードにおけるＤＬ送信ギャップ区間やＵＬ送信ギャップ区間の出現によって生じる移動局の受信性能の低下を逸早く回復することができる。【００６４】  なお、実施の形態１及び実施の形態２では、Ｗ−ＣＤＭＡ方式におけるＨＳＤＰＡ方式でパケット通信が行われる場合について説明したが、本発明はこの場合に限定されるものではなく、ＵＬで下り伝搬路品質情報のフィードバックがあり、かつ、コンプレスモードが存在する方式であれば、全ての通信システムに適用可能である。【００６５】  本発明は、２００３年９月３０日出願の特願２００３−３４１７１９に基づく。この内容を全てここに含めておく。
【産業上の利用可能性】
【００６６】  本発明にかかるコンプレストモードでの下り伝搬路品質情報送信方法及び下り伝搬路品質情報送信装置は、移動局が従来の下り伝搬路品質情報送信方法とほぼ同等の受信性能を確保でき、かつ、ＵＬで送信される下り伝搬路品質情報を生成するために必要な受信信号の測定等に関する移動局の構成部の動作制御等を容易に行うことができるという効果を有し、下り伝搬路品質情報送信装置を必要とする移動局等に有用である。
【図１】
2005034555.tif 000003
【図２】
2005034555.tif 000004
【図３】
2005034555.tif 000005
【図４】
2005034555.tif 000006
【図５】
2005034555.tif 000007
【図６】
2005034555.tif 000008
【図７】
2005034555.tif 000009
【図８】
2005034555.tif 000010
【図９】
2005034555.tif 000011
【図１０】
2005034555.tif 000012
【図１１】
2005034555.tif 000013
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
無線信号を受信する受信ステップと、
受信信号に基づいて測定参照区間毎に下り伝搬路品質情報を生成する下り伝搬路品質情報生成ステップと、
前記受信信号から制御パラメータを抽出する抽出ステップと、
抽出された前記制御パラメータに基づいてダウンリンクの送信ギャップ区間及びアップリンクの送信ギャップ区間を算出し、算出された前記ダウンリンクの送信ギャップ区間と重畳しない前記測定参照区間の前記受信信号に基づいて生成された前記下り伝搬路品質情報の送信が想定される想定区間と、前記アップリンクの送信ギャップ区間と重畳しない前記想定区間と、が前記ダウンリンクの送信ギャップ区間及び前記アップリンクの送信ギャップ区間が共に終わった後で最初に一致するときに、前記下り伝搬路品質情報を送信するタイミングを生成するタイミング生成ステップと、
前記ダウンリンクの送信ギャップ区間と重畳せず、かつ、前記ダウンリンクの送信ギャップ区間が終わった後の前記測定参照区間の前記受信信号に基づいて生成された前記下り伝搬路品質情報を、前記タイミング生成ステップにおいて生成された前記タイミングで送信する送信ステップと、
を具備するコンプレストモードでの下り伝搬路品質情報送信方法。
【請求項２】
前記タイミング生成ステップでは、抽出された前記制御パラメータに基づいて前記ダウンリンクの送信ギャップ区間及び前記アップリンクの送信ギャップ区間を算出し、算出された前記ダウンリンクの送信ギャップ区間と重畳しない前記測定参照区間を順次特定し、順次特定された前記測定参照区間の前記受信信号に基づいて生成される前記下り伝搬路品質情報の送信が想定される想定区間と、前記アップリンクの送信ギャップ区間と重畳しない想定区間と、が最初に一致するときに、前記タイミングを生成する、
請求項１記載のコンプレストモードでの下り伝搬路品質情報送信方法。
【請求項３】
前記受信ステップで受信される無線信号が非連続的に送信されたパケットデータ信号である、
請求項１記載のコンプレスモードでの下り伝搬路品質情報送信方法。
【請求項４】
コンプレストモードの無線信号を受信する受信手段と、
前記受信手段による受信信号に基づいて測定参照区間毎に下り伝搬路品質情報を生成する下り伝搬路品質情報生成手段と、
前記受信信号から制御パラメータを抽出する抽出手段と、
抽出された前記制御パラメータに基づいてダウンリンクの送信ギャップ区間及びアップリンクの送信ギャップ区間を算出し、算出された前記ダウンリンクの送信ギャップ区間と重畳しない前記測定参照区間の前記受信信号に基づいて生成された前記下り伝搬路品質情報の送信が想定される想定区間と、前記アップリンクの送信ギャップ区間と重畳しない前記想定区間と、が前記ダウンリンクの送信ギャップ区間及び前記アップリンクの送信ギャップ区間が共に終わった後で最初に一致するときに、前記下り伝搬路品質情報を送信するタイミングを生成するタイミング生成手段と、
前記ダウンリンクの送信ギャップ区間と重畳せず、かつ、前記ダウンリンクの送信ギャップ区間が終わった後の前記測定参照区間の前記受信信号に基づいて生成された前記下り伝搬路品質情報を、前記タイミング生成手段によって生成された前記タイミングで送信する送信手段と、
を具備する下り伝搬路品質情報送信装置。
【請求項５】
前記タイミング生成手段は、抽出された前記制御パラメータに基づいて前記アップリンクの送信ギャップ区間の終始を監視して、前記下り伝搬路品質情報の送信が想定される想
定区間で前記下り伝搬路品質情報を前記アップリンクに送信可能か判定するアップリンク状態判定手段と、
抽出された前記制御パラメータに基づいて前記ダウンリンクの送信ギャップ区間の終始を監視して、前記下り伝搬路品質情報の送信が想定される想定区間に対応する前記測定参照区間が前記ダウンリンクの送信ギャップ区間と重畳しないか判定するダウンリンク状態判定手段と、
前記アップリンク状態判定手段による判定及び前記ダウンリンク状態判定手段による判定の結果が共に肯定的であるときに、前記下り伝搬路品質情報を送信する前記タイミングを生成する決定を行う決定手段と、
を具備する請求項４記載の下り伝搬路品質情報送信装置。
【請求項６】
前記タイミング生成手段は、抽出された前記制御パラメータに基づいて前記コンプレストモードで前記下り伝搬路品質情報の送信が予定される予定区間を導出する予定区間導出手段と、
抽出された前記制御パラメータに基づいて前記アップリンクの送信ギャップ区間の終始を監視しつつ、前記アップリンクの送信ギャップ区間と前記予定区間又は前記想定区間とが重畳しないか判定するアップリンク状態判定手段と、
抽出された前記制御パラメータに基づいて前記ダウンリンクの送信ギャップ区間の終始を監視しつつ、前記ダウンリンクの送信ギャップ区間と前記測定参照区間とが重畳しないか判定するダウンリンク状態判定手段と、
前記アップリンク状態判定手段による判定及び前記ダウンリンク状態判定手段による判定の結果が共に肯定的であるときに、前記下り伝搬路品質情報を送信する前記タイミングを生成する決定を行う決定手段と、
を具備する請求項４記載の下り伝搬路品質情報送信装置。
【手続補正２】
【補正対象書類名】明細書
【補正対象項目名】全文
【補正方法】変更
【補正の内容】
【発明の詳細な説明】
【技術分野】
【０００１】
本発明は、自動再送信要求（Automatic Repeat reQuest：ＡＲＱ）技術におけるコンプレスモード（Compressed Mode：圧縮モード）状態において、データ受信側通信装置がデータ送信側通信装置に対して伝送チャネルの品質を報告する方法及びその装置に関する。
【背景技術】
【０００２】
近年、３ＧＰＰ(3rd Generation Partnership Project)では、無線通信の伝送速度を飛躍的に向上させるＨＳＤＰＡ方式が検討されている。ＨＳＤＰＡ方式において、ＨＳＤＰＡ用のチャネルとしては基地局から移動局に無線信号を送信するダウンリンク（以下、「ＤＬ」と称する）として、パケットデータ用のチャネルであるＨＳ−ＰＤＳＣＨ(High Speed Physical Downlink Shared Channel)と、このＨＳ−ＰＤＳＣＨを受信するために必要なチャネライゼーションコード、多重数及び変調方式等の情報を伝送する制御チャネルであるＨＳ−ＳＣＣＨ(High Speed Shared Control Channel)と、が規定されており、これらのチャネルがセットで送信される。
【０００３】
また、ＨＳＤＰＡ方式において、移動局から基地局に無線信号を送信するアップリンク（以下、「ＵＬ」と称する）として、ＨＳ−ＤＰＣＣＨ(High Speed Dedicated PhysicalControlChannel)が規定されており、このＨＳ−ＤＰＣＣＨでは、ＨＳ−ＰＤＳＣＨの無線信号が移動局に正しく受信されたか否かを表すＡＣＫ／ＮＡＣＫ信号と、移動局と基地局との間の下り伝搬路品質情報、具体的にはＣＱＩ：Channel Quality Indicatorが送信される。このＣＱＩは、ＤＬチャネルの一つである共通パイロットチャネルＣＰＩＣＨ(Common Pilot Channel)から算出されるＳＮＲ(Signal to Noise Ratio)に基づいて生成されるものであり、そのＳＮＲの測定参照区間はMeasurement Reference Periodと呼ばれる。ＳＮＲは伝搬路状況を示す尺度であるから、基地局は、高いＳＮＲに基づいて生成されたＣＱＩを受信したときには、ＨＳ−ＰＤＳＣＨの伝送レートを上げることができる。
【０００４】
図１に、ＨＳ−ＳＣＣＨ、ＨＳ−ＰＤＳＣＨ及びＨＳ−ＤＰＣＣＨそれぞれのフレームフォーマットを示す。ＨＳ−ＳＣＣＨ、ＨＳ−ＰＤＳＣＨ及びＨＳ−ＤＰＣＣＨでは、３スロットでサブフレーム単位が構成される。これらのチャネルの１サブフレームは２ｍｓであるから、ＤＬ−ＤＰＣＨ(Down Link Dedicated Physical CHannel)やＣＰＩＣＨ等の通常の受信チャネルの１フレーム（１０ｍｓ）中には、これらのチャネルの５つのサブフレームが含まれることになる。
【０００５】
図２に、ＣＰＩＣＨのフレームフォーマットとＨＳ−ＤＰＣＣＨのより具体的なフレームフォーマットとを示す。ＣＰＩＣＨは１５スロットから構成されており、その単位はフレームと呼ばれる。なお、ＣＰＩＣＨの１フレームは１０ｍｓである。一方、ＨＳ−ＤＰＣＣＨは、任意のサブフレームの最初の１スロットがＡＣＫ／ＮＡＣＫ信号の格納されるＡＣＫ／ＮＡＣＫフィールドであり、その後ろの２スロットがＣＱＩの格納されるＣＱＩフィールドである。また、ＣＰＩＣＨの１フレームに対応するＨＳ−ＤＰＣＣＨは、５つのパケットデータ単位即ちサブフレームで構成される。ＨＳ−ＤＰＣＣＨの５つのサブフレームのそれぞれをSubframe#0、Subframe#1、Subframe#2、Subframe#3及びSubframe#4と標記することにする。
【０００６】
図３に、ＳＮＲを測定する際の基準単位となるＣＰＩＣＨの測定参照区間と、ＨＳ−ＳＣＣＨ、ＨＳ−ＰＤＳＣＨ及びＨＳ−ＤＰＣＣＨそれぞれのサブフレームと、のタイミング関係を示す。ＨＳ−ＳＣＣＨのスロットバウンダリとＣＰＩＣＨのスロットバウンダリは常に一致した状態で基地局から送信され、またＨＳ−ＳＣＣＨとＨＳ−ＰＤＳＣＨとは
、２スロットのオフセットをつけてサブフレーム単位のセットで送信される。また、ＨＳ−ＰＤＳＣＨのサブフレームに対するＡＣＫ／ＮＡＣＫ信号は、移動局によってそのサブフレームの受信が開始されてから７．５スロット経過後に、ＨＳ−ＤＰＣＣＨのＡＣＫ／ＮＡＣＫフィールドに格納されて、移動局から基地局に送信される。
【０００７】
一方で、ＨＳ−ＤＰＣＣＨのサブフレームのＣＱＩフィールドに格納されて送信されるＣＱＩは、移動局によるＨＳ−ＰＤＳＣＨの受信とは無関係に、上位レイヤーから指定される周期毎に即ち測定参照区間毎に、ＤＬに含まれるＣＰＩＣＨから算出されたＳＮＲの値に基づいて生成される。図３において、例えばＣＱＩフィールド（ｎ）で送信されるＣＱＩは、ＣＱＩフィールド（ｎ）の開始時から１スロット前に終了する３スロット分の測定参照区間のＣＰＩＣＨから算出されるＳＮＲに基づいて生成される。
【０００８】
また、ＨＳ−ＤＰＣＣＨのＣＱＩフィールドで移動局が実際にＣＱＩを基地局に送信する周期は、上位レイヤーから具体的に指定される。このＣＱＩが実際に送信される周期は、フィードバックサイクル(Feedback Cycle)ｋと称される。
【０００９】
図４に、フィードバックサイクルｋ＝１の場合におけるＨＳ−ＤＰＣＣＨのサブフレームの構成と、そのサブフレームのＣＱＩフィールドに対応する測定参照区間と、のタイミング関係を示す。図４より明らかなように、フィードバックサイクルｋ＝１の場合には、ＨＳ−ＤＰＣＣＨの全サブフレームのＣＱＩフィールドにＣＱＩが格納される。また、図５に、フィードバックサイクルｋ＝３の場合におけるＨＳ−ＤＰＣＣＨのサブフレームの構成と、そのサブフレームのＣＱＩフィールドに対応する測定参照区間と、のタイミング関係を示す。図５より明らかなように、フィードバックサイクルｋ＝３の場合には、ＨＳ−ＤＰＣＣＨのサブフレーム単位について３回に１度の頻度でＣＱＩが移動局から基地局に送信される。なお、フィードバックサイクルｋで規定されたＣＱＩが実際に送信されるＨＳ−ＤＰＣＣＨの区間を「予定区間」(なお、図中では「Scheduled pattern of ＣＱＩ
reports」と称することがある)と称し、またフィードバックサイクルｋによる規定とは無関係にＨＳ−ＤＰＣＣＨの全てのサブフレームにおけるＣＱＩフィールドを「想定区間」と称す。従って、フィードバックサイクルｋ＝１では、想定区間の全てが予定区間となるが、フィードバックサイクルｋ＝３では、３つの想定区間の中のいずれか１つが予定区間となる。
【００１０】
次いで、ＨＳＤＰＡ方式を具体例にして、コンプレストモードについて説明する。セルラー方式の無線通信では、Ｗ−ＣＤＭＡ方式のセルとＧＳＭ方式のセルとのように異なる通信方式のセル同士で、或いは同一方式のセル同士で異なる周波数帯域を使用する場合があり、このような周波数帯域の異なるセルの間を移動局がハンドオーバーするには、移動局は現在所属するセルの基地局との通信中に他のセルの基地局から送信されてくる他の周波数帯域の信号を受信して、他のセルの基地局に関する制御情報を予め取得しておく必要がある。そこで、ＨＳＤＰＡ方式では、移動局と通信中の基地局が通信に悪影響を及ぼさない範囲でＤＬを使用しない区間（ＤＬ送信ギャップ区間）を設けること、並びに移動局がこのＤＬ送信ギャップ区間中に他のセルの基地局に関する制御情報を取得すること、が規定されている。このように、ＨＳＤＰＡ方式の無線通信において、基地局と移動局との間でその通信を中止する区間を設ける方式をコンプレストモードという。なお、コンプレストモードでは、ＵＬにだけ送信ギャップ区間が設けられる場合やＵＬとＤＬとに共に送信ギャップ区間が設けられる場合もある。また、ＨＳＤＰＡ方式以外の方式におけるコンプレストモードでも、前記の説明とほぼ同様の手法により、移動局から基地局に下り伝搬路品質情報が送信される。
【００１１】
図６に、３ＧＰＰで策定中のコンプレストモードでのフィードバックサイクルｋ＝１の場合におけるＤＬ送信ギャップ区間と、測定参照区間と、ＵＬ送信ギャップ区間と、のタ
イミング関係の一例を示す。なお、ＤＬ送信ギャップ区間とＵＬ送信ギャップ区間とのタイミング関係は、必ずしも図６に示す態様となるわけではなく、コンプレストモードの規定に依存する。
【００１２】
測定参照区間とＤＬ送信ギャップ区間とが重畳する場合は、その重畳が測定参照区間の一部だけであっても、その測定参照区間についてはＳＮＲを正確に算出できない。そのため、図６に示すＣＰＩＣＨの測定参照区間Reference Periods_Cは使用されず、その代替としてＤＬ送信ギャップ区間と重畳しない直前の測定参照区間Reference Periods_Bに基づいてＣＱＩが生成され、この生成されたＣＱＩがＵＬ送信ギャップ区間が終わった後のＨＳ−ＤＰＣＣＨの最初の予定区間CQI_Cで移動局から基地局に送信される。なお、ＵＬ送信ギャップ区間中の予定区間では、ＣＱＩの代替としてＤＴＸ(Discontinuous Transmission)がＣＱＩフィールドに格納される。
【００１３】
続いて、図７に、コンプレストモードにおけるフィードバックサイクルｋ＝４の場合でのＤＬ送信ギャップ区間と、測定参照区間と、ＵＬ送信ギャップ区間と、のタイミング関係の一例を示す。図７では、フィードバックサイクルｋ＝４であるため、測定参照区間に対する予定区間の出現頻度が１／４となっている。そのため、図７では、ＤＬ送信ギャップ区間と一部重畳する測定参照区間Reference Periods_Eの代替として、ＤＬ送信ギャップ区間と重畳しない直前の測定参照区間Reference Periods_Bの受信信号に基づいてＣＱＩが生成され、この生成されたＣＱＩがＵＬ送信ギャップ区間が終わった後のＨＳ−ＤＰＣＣＨの最初の予定区間CQI_Eで移動局から基地局に送信される。これら点については図６とほぼ同様であるが、図７では、フィードバックサイクルｋ＝４であれば本来ＣＱＩの生成には使用されないはずの測定参照区間Reference Periods_Bの受信信号に基づいてＣＱＩが生成されており、さらには測定参照区間Reference Periods_Eの直後の測定参照区間Reference Periods_Fの受信信号に基づいてＣＱＩが特別に生成されて予定区間ではない想定区間CQI_Fで移動局から基地局にこのＣＱＩが送信されている。なお、このように予定区間ではない想定区間CQI_Fで移動局から基地局に送信されるＣＱＩをエクストラＣＱＩと称す。
【００１４】
図６及び図７に示すようなＤＬ送信ギャップ区間と、測定参照区間と、ＵＬ送信ギャップ区間と、のタイミング関係は、非特許文献１に記載されている。
【非特許文献１】Title : “CQI reporting in DL Compressed Mode”, Source : Philips, 3GPP TSG RAN WG1#33, Agenda Item : 5.3, Document No : Tdoc R1-030742, New York, USA, 25th - 29th August 2003
【発明の開示】
【発明が解決しようとする課題】
【００１５】
しかしながら、図６及び図７に示すような従来のコンプレストモードでのＣＱＩ送信方法では、ＤＬ送信ギャップ区間とＵＬ送信ギャップ区間が同時に出現する場合において、ＵＬ送信ギャップ直後に予定区間がある場合、その予定区間に対する測定参照区間がＤＬギャップと重畳しているために、受信信号に基づくＣＱＩを生成できないことから、このＤＬ送信ギャップ区間が始まる直前に終わった測定参照区間の受信信号に基づいて生成されたＣＱＩが移動局から基地局に送信されることになる。そのため、このＤＬ送信ギャップ区間とＵＬ送信ギャップ区間とが終わった後に最初に送信されるＣＱＩは、伝搬路状況が随時動的に変化していることに鑑みれば、その送信時の伝搬路状況を殆ど反映しておらず、移動局から基地局に送信されても基地局での利用価値が低いものと考えられる。
【００１６】
また、従来のコンプレストモードでのＣＱＩ送信方法では、ＤＬ送信ギャップ区間が始まる直前に終わった測定参照区間の受信信号に基づいて生成されたＣＱＩを、ＵＬ送信ギャップ区間が終わった後の最初の想定区間で送信するまで保持し続けなければならないた
め、このＣＱＩ送信方法を実施するための装置の構成及びその構成部の制御が非常に複雑になる問題がある。
【００１７】
さらに、従来のコンプレストモードでのＣＱＩ送信方法では、コンプレストモードでのフィードバックサイクルｋの値が２以上であれば、予定区間に対応しないためＣＱＩの生成に本来使用されないはずの測定参照区間の受信信号に基づいてＣＱＩが生成される場合が生じ、特にＤＬ送信ギャップ区間が始まったときには、その開始時から遡って測定参照区間に基づくＣＱＩが生成されることになるため、測定参照区間毎の受信信号の管理やこの受信信号に基づいてＣＱＩを生成する工程の制御が複雑になる問題もある。
【００１８】
本発明の目的は、移動局が従来のコンプレストモードでの下り伝搬路品質情報送信方法とほぼ同等の受信性能を確保でき、かつ、ＵＬで送信される下り伝搬路品質情報を生成するために必要な受信信号の測定等に関する制御が容易なコンプレストモードでの下り伝搬路品質情報送信方法、並びにこの下り伝搬路品質情報送信方法を実施可能で構成が簡素なＣＱＩ送信装置を提供することである。
【課題を解決するための手段】
【００１９】
本発明に係るコンプレストモードでの下り伝搬路品質情報送信方法は、無線信号を受信する受信ステップと、受信信号に基づいて測定参照区間毎に下り伝搬路品質情報を生成する下り伝搬路品質情報生成ステップと、前記受信信号から制御パラメータを抽出する抽出ステップと、抽出された前記制御パラメータに基づいてダウンリンクの送信ギャップ区間及びアップリンクの送信ギャップ区間を算出し、算出された前記ダウンリンクの送信ギャップ区間と重畳しない前記測定参照区間の前記受信信号に基づいて生成された前記下り伝搬路品質情報の送信が想定される想定区間と、前記アップリンクの送信ギャップ区間と重畳しない前記想定区間と、が前記ダウンリンクの送信ギャップ区間及び前記アップリンクの送信ギャップ区間が共に終わった後で最初に一致するときに、前記下り伝搬路品質情報を送信するタイミングを生成するタイミング生成ステップと、前記ダウンリンクの送信ギャップ区間と重畳せず、かつ、前記ダウンリンクの送信ギャップ区間が終わった後の前記測定参照区間の前記受信信号に基づいて生成された前記下り伝搬路品質情報を、前記タイミング生成ステップにおいて生成された前記タイミングで送信する送信ステップと、を具備するようにした。
【００２０】
また、本発明に係る下り伝搬路品質情報送信装置は、コンプレストモードの無線信号を受信する受信手段と、前記受信手段による受信信号に基づいて測定参照区間毎に下り伝搬路品質情報を生成する下り伝搬路品質情報生成手段と、前記受信信号から制御パラメータを抽出する抽出手段と、抽出された前記制御パラメータに基づいてダウンリンクの送信ギャップ区間及びアップリンクの送信ギャップ区間を算出し、算出された前記ダウンリンクの送信ギャップ区間と重畳しない前記測定参照区間の前記受信信号に基づいて生成された前記下り伝搬路品質情報の送信が想定される想定区間と、前記アップリンクの送信ギャップ区間と重畳しない前記想定区間と、が前記ダウンリンクの送信ギャップ区間及び前記アップリンクの送信ギャップ区間が共に終わった後で最初に一致するときに、前記下り伝搬路品質情報を送信するタイミングを生成するタイミング生成手段と、前記ダウンリンクの送信ギャップ区間と重畳せず、かつ、前記ダウンリンクの送信ギャップ区間が終わった後の前記測定参照区間の前記受信信号に基づいて生成された前記下り伝搬路品質情報を、前記タイミング生成手段によって生成された前記タイミングで送信する送信手段と、を具備する構成を採る。
【発明の効果】
【００２１】
本発明によれば、移動局が従来のコンプレストモードでの下り伝搬路品質情報送信方法とほぼ同等の受信性能を確保でき、かつ、ＵＬで送信される下り伝搬路品質情報を生成す
るために必要な受信信号の測定等に関する移動局の各構成部の動作制御を容易に行うことができる。
【発明を実施するための最良の形態】
【００２２】
本発明の骨子は、ＤＬとＵＬとにそれぞれ送信ギャップ区間が出現するコンプレストモード即ち非連続的にＤＬで送信されたパケットデータ信号を受信した場合において、そのＤＬ送信ギャップ区間が始まる前の受信信号に基づいて生成された下り伝搬路品質情報を、そのＤＬ送信ギャップ区間及びＵＬ送信ギャップ区間が共に終わった後に、移動局が基地局に送信しない、ことである。
【００２３】
換言すれば、本発明の骨子は、ＤＬとＵＬとにそれぞれ送信ギャップ区間が出現するコンプレストモードおいて、そのＤＬ送信ギャップ区間が始まる前の受信信号に基づいて生成されたＣＱＩを、そのＤＬ送信ギャップ区間が始まった後に破棄する、ことである。
【００２４】
以下、本発明の実施の形態について、図面を参照しつつ詳細に説明する。
【００２５】
（実施の形態１）
図８に、本発明の実施の形態１に係るＣＱＩ送信装置１００の構成を示す。ＣＱＩ送信装置１００は、ＨＳＤＰＡ方式のコンプレストモードで通信を行う移動局に組み込まれて使用される。
【００２６】
ＣＱＩ送信装置１００は、アンテナ素子１１１、アンテナ共用器１１２、ＲｘＲＦ部１１３、受信部１１４、ＣＱＩ生成部１１５、送信部１１６、パラメータ抽出部１１７、ＣＱＩ送信タイミング生成部１１８、ＴｘＲＦ部１１９及びデータ出力端子１２０を具備する。
【００２７】
アンテナ素子１１１は、移動局が現在所属しているセルの基地局及び他のセルの基地局から送信されてくる様々な周波数帯域のＣＰＩＣＨ、ＨＳ−ＳＣＣＨ及びＨＳ−ＰＤＳＣＨ等の無線信号を捕捉し、捕捉された信号をアンテナ共用器１１２に入力する。また、アンテナ素子１１１は、アンテナ共用器１１２から入力されてくるＨＳ−ＤＰＣＣＨの送信信号を基地局に対して送信する。
【００２８】
アンテナ共用器１１２は、アンテナ素子１１１から入力されてくる受信信号をＲｘＲＦ部１１３に入力すると伴に、ＴｘＲＦ部１１９から入力されてくる送信信号をアンテナ素子１１１に入力する。
【００２９】
ＲｘＲＦ部１１３は、公知のバンドパスフィルタ及び低雑音増幅器等を具備して、アンテナ共用器１１２から入力されてくる受信信号を、チャネル別にＣＰＩＣＨとＨＳ−ＳＣＣＨとＨＳ−ＰＤＳＣＨとに分離して、分離されたチャネル別の受信信号をそれぞれ増幅した後に受信部１１４に入力する。
【００３０】
受信部１１４は、ＲｘＲＦ部１１３から入力されてくるチャネル別の受信信号に復調処理を施した後に、ＣＰＩＣＨの受信信号をＣＱＩ生成部１１５に入力し、ＨＳ−ＳＣＣＨの受信信号をパラメータ抽出部１１７に入力し、ＨＳ−ＰＤＳＣＨの受信信号をデータ出力端子１２０を介して図示しないベースバンド部に入力する。
【００３１】
ＣＱＩ生成部１１５は、受信部１１４から入力されてくるＣＰＩＣＨの受信信号に基づいて測定参照区間毎にそのＳＮＲを公知の手段によって算出し、算出されたＳＮＲに基づいてＣＱＩビットを生成する。生成されたＣＱＩは、測定参照区間毎に順次送信部１１６に入力される。
【００３２】
送信部１１６は、バンドパスフィルタ、変調器及びレジスタ等を具備し、ＣＱＩ生成部１１５から入力されてくるＣＱＩを内蔵するレジスタに一時保持し、ＣＱＩ送信タイミング生成部１１８から提供されるタイミングに従ってこのレジスタに保持されたＣＱＩをＨＳ−ＤＰＣＣＨのＣＱＩフィールドに格納し、その後このＨＳ−ＤＰＣＣＨの送信信号に変調処理を施してＴｘＲＦ部１１９に入力する。送信部１１６は、このようにＣＱＩ送信タイミング生成部１１８からタイミングが提供されたときには、そのタイミングに従って内蔵するレジスタに保持されたＣＱＩをＨＳ−ＤＰＣＣＨのＣＱＩフィールドに格納し変調した後にＴｘＲＦ部１１９に入力する。一方で、送信部１１６は、ＨＳ−ＤＰＣＣＨの想定区間が到来してもＣＱＩ送信タイミング生成部１１８からタイミングが提供されないときには、そのＣＱＩフィールドにＤＴＸを格納して変調した後にＴｘＲＦ部１１９に入力する。また、送信部１１６は、ＣＱＩ生成部１１５から入力されてくるＣＱＩを次に到来する想定区間でＨＳ−ＤＰＣＣＨのＣＱＩフィールドに格納したときには、その格納と同時にＣＱＩを破棄して保持しないようにし、またそのＣＱＩフィールドに格納しないときでも、そのＣＱＩを以後使用することはないため、ＣＱＩ生成部１１５から次のＣＱＩが入力されてくる際にレジスタを上書きすることによって破棄する。
【００３３】
パラメータ抽出部１１７は、受信部１１４から入力されてくるＨＳ−ＳＣＣＨの受信信号からコンプレストモードの態様を把握するためやＣＱＩを送信するタイミングを生成するために必要なチャネライゼーションコード、多重数及び変調方式等の情報を示す制御パラメータを抽出し、抽出された制御パラメータをＣＱＩ送信タイミング生成部１１８に入力する。
【００３４】
ＣＱＩ送信タイミング生成部１１８は、パラメータ抽出部１１７から入力されてくる制御パラメータに基づいてコンプレストモードにおけるＤＬ送信ギャップ区間及びＵＬ送信ギャップ区間の始めと終わりの時刻やフィードバックサイクルｋの値等の情報を取得する。また、ＣＱＩ送信タイミング生成部１１８は、ＤＬ送信ギャップ区間が終わった後に始まる測定参照区間の受信信号に基づいて生成されたＣＱＩをＤＬ送信ギャップ区間及びＵＬ送信ギャップ区間が終わった後に最初に送信するタイミングを生成して、このタイミングを送信部１１６に提供する。
【００３５】
ＴｘＲＦ部１１９は、バンドパスフィルタ、低雑音増幅器及び周波数変換機等を具備し、送信部１１６から入力されてくるＨＳ−ＤＰＣＣＨの送信信号に周波数変換・増幅等の所定の信号処理を施した後に、アンテナ共用器１１２に入力する。
【００３６】
また、図９に、本実施の形態に係るＣＱＩ送信装置１００におけるＣＱＩ送信タイミング生成部１１８の構成を示す。ＣＱＩ送信タイミング生成部１１８は、予定区間導出部２１１、ＤＬ状態判定部２１２、ＵＬ状態判定部２１３及びＣＱＩ送信タイミング決定部２１４を具備する。
【００３７】
予定区間導出部２１１は、パラメータ抽出部１１７から入力されてくる制御パラメータに基づいて通信中のＵＬについてのフィードバックサイクルｋの値を識別し、このフィードバックサイクルｋの値に応じた周期でＤＬ状態判定部２１２及びＵＬ状態判定部２１３に予定区間の到来を通知する信号を入力する。
【００３８】
ＤＬ状態判定部２１２は、予定区間導出部２１１から予定区間の通知信号を入力されたときに、以下の動作を行う。ＤＬ状態判定部２１２は、パラメータ抽出部１１７から入力されてくる制御パラメータに基づいてＤＬ送信ギャップ区間を算出し、算出されたＤＬ送信ギャップ区間の情報と、予定区間導出部２１１からの予定区間の通知信号と、を対比することによって、その予定区間に対応する測定参照区間がＤＬ送信ギャップ区間と重畳しないか判定する。即ち、ＤＬ状態判定部２１２は、この対比動作とほぼ同時刻にＣＱＩ生成部１１５で生成されて送信部１１６に保持されるＣＱＩがＤＬ送信ギャップ区間と重畳しない測定参照区間の受信信号に基づいて生成されたＣＱＩであるか否かを判定する。ＤＬ状態判定部２１２は、この判定結果が肯定的即ち送信部１１６に保持されているＣＱＩがＤＬ送信ギャップ区間と重畳しない測定参照区間の受信信号に基づいて生成されたＣＱＩであると判定したときには、判定結果が肯定的である旨を通知する信号をＣＱＩ送信タイミング決定部２１４に入力する。一方で、ＤＬ状態判定部２１２は、この判定結果が否定的即ち送信部１１６に保持されているＣＱＩがＤＬ送信ギャップ区間と重畳する測定参照区間の受信信号に基づいて生成されたＣＱＩであると判定したときには、ＣＱＩ送信タイミング決定部２１４に対して判定結果が否定的である旨を通知し、その後ＤＬ送信ギャップ区間と重畳しない測定参照区間の受信信号に基づいて生成されたＣＱＩであると判断されるまで、同様の動作を行う。即ち、ＤＬ状態判定部２１２は、一度否定的な判定を行うと、その次の予定区間（フィードバックサイクルｋが２以上の場合は、想定区間）に対応する測定参照区間がＤＬ送信ギャップ区間と重畳していないか判定し、肯定的な判定結果が得られるまで判定を繰り返す。そして、ＤＬ状態判定部２１２は、その肯定的な判定結果が得られた測定参照区間に対応する予定区間又は想定区間で、判定結果が肯定的である旨を通知する信号をＣＱＩ送信タイミング決定部２１４に入力する。また、ＤＬ状態判定部２１２は、通常は予定区間導出部２１１から予定区間の通知信号を入力されるまで上記一連の動作を行わないが、ＣＱＩ送信タイミング決定部２１４から判定要請信号を入力されたときには、次に到来する測定参照区間がＤＬ送信ギャップ区間と重畳しないか判定する。なお、ＣＱＩ送信タイミング決定部２１４から入力されてくる判定要請信号については後述する。
【００３９】
ＵＬ状態判定部２１３は、予定区間導出部２１１から予定区間の通知信号を入力されたときに、以下の動作を行う。ＵＬ状態判定部２１３は、パラメータ抽出部１１７から入力されてくる制御パラメータに基づいてＵＬ送信ギャップ区間を算出し、算出されたＵＬ送信ギャップ区間と次に到来する予定区間とが重畳しないか判定する。ＵＬ状態判定部２１３は、この判定結果が肯定的即ちＵＬ送信ギャップ区間と次に到来する予定区間とが重畳しないと判定したときには、判定結果が肯定的である旨を通知する信号をＣＱＩ送信タイミング決定部２１４に入力する。一方で、ＵＬ状態判定部２１３は、この判定結果が否定的即ちＵＬ送信ギャップ区間と次に到来する予定区間とが重畳すると判定したときには、ＣＱＩ送信タイミング決定部２１４に対して判定結果が否定的である旨を通知し、ＵＬ送信ギャップと重畳しない予定区間と判断されるまで、同様の動作を行う。即ち、ＵＬ状態判定部２１３では、一度否定的な判定を行うと、その次の予定区間（フィードバックサイクルｋが２以上の場合は、想定区間）がＵＬ送信ギャップ区間と重畳してないか判定し、
肯定的な判定結果が得られるまで判定を繰り返す。そして、ＵＬ状態判定部２１３は、その肯定的な判定結果が得られた予定区間又は想定区間で、判定結果が肯定的である旨を通知する信号をＣＱＩ送信タイミング決定部２１４に入力する。また、ＵＬ状態判定部２１３は、通常は予定区間導出部２１１から予定区間の通知信号を入力されるまで上記一連の動作を行わないが、ＣＱＩ送信タイミング決定部２１４から判定要請信号を入力されたときには、次に到来する想定区間がＵＬ送信ギャップ区間と重畳しないか判定する。なお、ＣＱＩ送信タイミング決定部２１４から入力されてくる判定要請信号については後述する。
【００４０】
ＣＱＩ送信タイミング決定部２１４は、ＤＬ状態判定部２１２による判定及びＵＬ状態判定部２１３による判定の結果が共に肯定的であるとき即ちＤＬ状態判定部２１２及びＵＬ状態判定部２１３から共に肯定的である旨を通知する信号が入力されてきたときに限り、送信部１１６に保持されているＣＱＩを送信するタイミングを生成する決定を行うと伴に、その生成されたタイミングを送信部１１６に提供する。また、ＣＱＩ送信タイミング決定部２１４は、ＤＬ状態判定部２１２又はＵＬ状態判定部２１３から判定結果が否定的である旨を通知する信号が入力されてきたときには、ＤＬ状態判定部２１２に対して次の測定参照区間がＤＬ送信ギャップ区間と重畳するか判定してその判定結果を入力するように、同様にＵＬ状態判定部２１３に対して次の想定区間がＵＬ送信ギャップ区間と重畳するか判定してその判定結果を入力するように要請する判定要請信号を、ＤＬ状態判定部２１２及びＵＬ状態判定部２１３に同時に入力する。この判定要請信号は、フィードバックサイクルｋが２以上であるときに、エクストラＣＱＩが送信されるまでＤＬ状態判定部２１２及びＵＬ状態判定部２１３に繰り返し入力される。
【００４１】
次いで、本実施の形態に係るＣＱＩ送信装置の動作について、本実施の形態に係るコンプレストモードでのＣＱＩ送信方法の実施態様と共に詳細に説明する。図１０に、本実施の形態に係るＣＱＩ送信方法の概要を図６に準じて示す。なお、本実施の形態では、コンプレストモードによってフィードバックサイクルｋ＝１と規定されているものとする。
【００４２】
図１０に示す本実施の形態に係るＣＱＩ送信方法では、測定参照区間Reference Periods_Cの一部がＤＬ送信ギャップ区間と重畳しているため、測定参照区間Reference Periods_Cの受信信号に基づいて生成されたＣＱＩをＵＬのＨＳ−ＤＰＣＣＨにおけるＣＱＩフィールドCQI_Cに格納して基地局に送信することができない。図６に示す従来のコンプレストモードでのＣＱＩ送信方法であれば、ＤＬ送信ギャップ区間が始まる直前に終わった測定参照区間Reference Periods_Bの受信信号に基づいて生成されたＣＱＩをＵＬのＨＳ−ＤＰＣＣＨにおけるＣＱＩフィールドCQI_Cに格納して基地局に送信するところであるが、本実施の形態に係るＣＱＩ送信装置１００では、ＣＱＩ生成部１１５によって測定参照区間Reference Periods_Bの受信信号に基づいて生成されたＣＱＩはＤＬギャップ区間が始まった後に送信部１１６によって自動的に破棄されるため、このＣＱＩをＣＱＩフィールドCQI_Cに格納して基地局に送信することはできない。そこで、本実施の形態に係るＣＱＩ送信方法では、図６におけるＣＱＩフィールドCQI_Cに相当する想定区間のＣＱＩフィールドに送信部１１６によってＤＴＸを格納して基地局に送信する。従って、本実施の形態に係るＣＱＩ送信方法では、ＤＬ送信ギャップ区間が終わった後に最初に送信されるＣＱＩは、測定参照区間Reference Periods_Dの受信信号に基づいて生成されたＣＱＩとなる。
【００４３】
このように本実施の形態に係るＣＱＩ送信方法では、ＤＬ送信ギャップ区間が始まってからＣＱＩフィールドCQI_Dが到来するまで移動局から基地局にＣＱＩが送信されないことになるが、図６に示す従来のＣＱＩ送信方法において、ＣＱＩフィールドCQI_Cで送信されていたＣＱＩは実質的に利用価値の低いものであったことから、本実施の形態に係るＣＱＩ送信方法が従来のＣＱＩ送信方法と比較して移動局の受信性能を目立って低下させ
ることはない。
【００４４】
続いて、本実施の形態に係るコンプレストモードでのＣＱＩ送信方法について、ＣＱＩ送信タイミング生成部１１８に具備される各構成部の動作を具体的に説明する。ＤＬ状態判定部２１２及びＵＬ状態判定部２１３はどちらも、パラメータ抽出部１１７から入力されてくる制御パラメータに基づいて図１０に示す態様でＤＬ送信ギャップ区間及びＵＬ送信ギャップ区間が始まりまた終わることを予め把握している。また、ＤＬ状態判定部２１２は、ＤＬ送信ギャップ区間と一部でも重畳するＤＬのＣＰＩＣＨのサブフレームを計算によって予め特定している。同様に、ＵＬ状態判定部２１３も、ＵＬ送信ギャップと一部でも重畳するＵＬのＨＳ−ＤＰＣＣＨのサブフレーム又は予定区間を計算によって予め特定している。
【００４５】
図１０に示す測定参照区間Reference Periods_A内の任意の時刻において、予定区間導出部２１１は、ＵＬのＨＳ−ＤＰＣＣＨにおけるＣＱＩフィールドCQI_Aが予定区間に該当するか判定し、ＣＱＩフィールドCQI_Aが予定区間に該当するときには、次に到来するＣＱＩフィールドCQI_Aが予定区間に該当する旨の信号をＤＬ状態判定部２１２及びＵＬ状態判定部２１３に入力する。なお、本実施の形態では、フィードバックサイクルｋ＝１であるから、ＣＱＩフィールドCQI_A以後に到来する全てのＣＱＩフィールドが予定区間に該当することになる。
【００４６】
また、図１０に示す測定参照区間Reference Periods_A内の任意の時刻において、ＵＬ状態判定部２１３は、予定区間導出部２１１から次に到来するＣＱＩフィールドCQI_Aが予定区間に該当する旨の信号を入力されたときに、次に到来するＣＱＩフィールドCQI_Aがその一部でもＵＬ送信ギャップ区間と重畳しないか判定し、その判定結果が肯定的であるとき即ちＵＬ送信ギャップ区間と次に到来するＣＱＩフィールドCQI_Aとが重畳しないと判定されたときに、判定結果が肯定的である旨を通知する信号をＣＱＩ送信タイミング決定部２１４に入力する。このように、予定区間導出部２１１及びＵＬ状態判定部２１３は、任意の測定参照区間内において、この測定参照区間の次のサブフレームにおけるＣＱＩフィールドでＣＱＩを送信できるか判定することになる。
【００４７】
一方で、図１０に示す測定参照区間Reference Periods_A内の任意の時刻において、ＤＬ状態判定部２１２は、測定参照区間Reference Periods_AがＤＬ送信ギャップ区間と一部でも重畳しないか判定し、この判定結果が肯定的であるとき即ち測定参照区間Reference Periods_AがＤＬ送信ギャップ区間と重畳しないと判定されたときに、判定結果が肯定的である旨を通知する信号をＣＱＩ送信タイミング決定部２１４に入力する。このように、ＤＬ状態判定部２１２は、ある測定参照区間内の任意の時刻において、この測定参照区間の受信信号に基づいて生成されたＣＱＩが伝搬路状況を正確に反映したものであるかを判定することになる。
【００４８】
図１０に示す測定参照区間Reference Periods_Aについて、ＵＬ状態判定部２１３は、ＣＱＩフィールドCQI_AがＵＬ送信ギャップ区間と重畳していないことから、ＣＱＩフィールドCQI_AでＣＱＩを送信することが可能であると判定し、その肯定的な判定結果をＣＱＩ送信タイミング決定部２１４に入力する。また、図１０に示す測定参照区間Reference Periods_Aについて、ＤＬ状態判定部２１２は、測定参照区間Reference Periods_AがＤＬ送信ギャップ区間と重畳していないことから、測定参照区間Reference Periods_Aの受信信号に基づいて生成されたＣＱＩが伝搬路状況を十分に反映した使用可能なものであると判定し、その肯定的な判定結果をＣＱＩ送信タイミング決定部２１４に入力する。従って、図１０に示す測定参照区間Reference Periods_Aについて、ＣＱＩ送信タイミング決定部２１４は、ＤＬ状態判定部２１２及びＵＬ状態判定部２１３から共に肯定的な判定結果を入力されることになるため、送信部１１６に保持されている測定参照区間Reference 
Periods_Aの受信信号に基づいて生成されたＣＱＩを送信するタイミングを生成する決定を行うと伴に、その生成されたタイミングを送信部１１６に提供する。そして、送信部１１６は、ＣＱＩ送信タイミング決定部２１４から提供されるタイミングに従って、保持するＣＱＩをＵＬのＣＱＩフィールドCQI_Aに格納して基地局に対して送信することになる。
【００４９】
続いて、図１０に示す測定参照区間Reference Periods_Bについて、ＵＬ状態判定部２１３は、ＣＱＩフィールドCQI_BがＵＬ送信ギャップ区間と重畳することから（ＣＱＩフィールドCQI_Bは図示されていない）、ＣＱＩフィールドCQI_BでＣＱＩを送信することはできないと判定する。そのため、この測定参照区間Reference Periods_Bについて、ＵＬ状態判定部２１３は、ＣＱＩ送信タイミング決定部２１４に判定結果が否定的ある旨の信号を入力する。従って、図１０に示す測定参照区間Reference Periods_Bについて、ＣＱＩ送信タイミング決定部２１４は、ＵＬ状態判定部２１３から判定結果が肯定的である旨の信号が入力されないため、送信部１１６に保持されている測定参照区間Reference Periods_Bの受信信号に基づいて生成されたＣＱＩを送信するタイミングを生成する決定を行うことができない。そのため、送信部１１６は、図１０に示す測定参照区間Reference Periods_Bについて、ＣＱＩ送信タイミング決定部２１４からタイミングが提供されないことから、ＵＬのＨＳ−ＤＰＣＣＨのＣＱＩフィールドCQI_BにＤＴＸを格納して基地局に送信することになる。
【００５０】
続いて、図１０に示す測定参照区間Reference Periods_Cについて、ＤＬ状態判定部２１２は、測定参照区間Reference Periods_Cの一部がＤＬ送信ギャップ区間と重畳していることから、測定参照区間Reference Periods_Cの受信信号に基づいて生成されたＣＱＩは使用できないものであると判定する。そのため、この測定参照区間Reference Periods_Cについて、ＤＬ状態判定部２１２は、ＣＱＩ送信タイミング決定部２１４に判定結果が否定的である旨の信号を入力する。従って、図１０に示す測定参照区間Reference Periods_Cについて、ＣＱＩ送信タイミング決定部２１４は、ＤＬ状態判定部２１２から肯定的な判定結果に基づく信号が入力されないため、送信部１１６に保持されている測定参照区間Reference Periods_Cの受信信号に基づいて生成されたＣＱＩを送信するタイミングを生成する決定を行うことができない。そのため、送信部１１６は、図１０に示す測定参照区間Reference Periods_CについてＣＱＩ送信タイミング決定部２１４からタイミングが提供されないことから、ＣＱＩフィールドCQI_C（図６を参照）にＤＴＸを格納して基地局に送信することになる。
【００５１】
続いて、図１０に示す測定参照区間Reference Periods_Dについて、ＵＬ状態判定部２１３は、ＣＱＩフィールドCQI_DがＵＬ送信ギャップ区間と重畳していないことから、ＣＱＩフィールドCQI_DでＣＱＩを送信することが可能であると判定し、その肯定的な判定結果をＣＱＩ送信タイミング決定部２１４に入力する。また、図１０に示す測定参照区間Reference Periods_Dについて、ＤＬ状態判定部２１２は、測定参照区間Reference Periods_DがＤＬ送信ギャップ区間と重畳していないことから、測定参照区間Reference Periods_Dの受信信号に基づいて生成されたＣＱＩが使用可能なものであると判定し、その肯定的な判定結果をＣＱＩ送信タイミング決定部２１４に入力する。従って、図１０に示す測定参照区間Reference Periods_Dについて、ＣＱＩ送信タイミング決定部２１４は、ＤＬ状態判定部２１２及びＵＬ状態判定部２１３から共に肯定的な判定結果を入力されることになるため、送信部１１６に保持されている測定参照区間Reference Periods_Dの受信信号に基づいて生成されたＣＱＩを送信するタイミングを生成する決定を行うと伴に、その生成されたタイミングを送信部１１６に提供する。そして、送信部１１６は、ＣＱＩ送信タイミング決定部２１４から提供されるタイミングに従って、ＣＱＩフィールドCQI_Dで送信部１１６に保持されているＣＱＩを基地局に対して送信することになる。
【００５２】
このように、本実施の形態に係るＣＱＩ送信装置１００によれば、コンプレストモードの規定に応じてＣＱＩを送信するタイミングが必要なときに限り、そのタイミングがＣＱＩ送信タイミング生成部１１８によって生成され、またＤＬ送信ギャップ区間が始まったときには、その開始時から遡ってまでＣＱＩ生成部１１５が測定参照区間Reference Periods_Bの受信信号に基づくＣＱＩを生成する必要がなくなり、かつ、送信部１１６がその開始時までの測定参照区間の受信信号に基づいて生成されたＣＱＩをその開始時以後保持しておく必要がなくなるため、ＣＱＩ生成部１１５は遡及的なＣＱＩの生成に備えて複数の測定参照区間の受信信号を保持しておく必要がなくなり、また送信部１１６はＣＱＩ生成部１１５から測定参照区間毎に入力されてくるＣＱＩを次のＣＱＩが入力されてくるまでに送信しない場合には単に破棄するだけでよくなることから、ＣＱＩ生成部１１５が複数の測定参照区間の受信信号を保持し続けるため又は送信部１１６が複数のＣＱＩを保持し続けるためのレジスタ等を具備する必要がなくなり、それら構成部を簡素化できると伴に、それら構成部を容易に動作制御することができるようになる。
【００５３】
また、本実施の形態に係るコンプレストモードでのＣＱＩ送信方法によれば、ＤＬ送信ギャップ区間が始まる直前で終了する測定参照区間Reference Periods_Bの受信信号に基づいて生成されたＣＱＩが、このＤＬ送信ギャップ区間とＵＬ送信ギャップ区間とが終了した後の予定区間CQI_Cで送信されることを回避できるため、測定参照区間Reference Periods_Bの受信信号に基づいて生成されたＣＱＩをＤＬ送信ギャップ区間が始まった後は保持しておく必要がなくなることから、測定参照区間毎に順次生成されるＣＱＩを容易に管理できるようになる。加えて、本実施の形態に係るコンプレストモードでのＣＱＩ送信方法によれば、測定参照区間Reference Periods_Bの受信信号に基づいて生成されたＣＱＩをＤＬ送信ギャップ区間が始まったときに破棄してしまっても、その後遡及的に測定参照区間Reference Periods_Bの受信信号に基づいてＣＱＩを再度生成することはないため、測定参照区間毎に順次生成されるＣＱＩの管理がより一層容易になる。
【００５４】
さらに、本実施の形態に係るコンプレストモードでのＣＱＩ送信方法によれば、ＤＬ送信ギャップ区間が終わった後に始まる測定参照区間Reference Periods_Dの受信信号に基づいて生成されたＣＱＩが、ＤＬ送信ギャップ区間とＵＬ送信ギャップ区間とが終わった時から１サブフレーム分だけ遅れて予定区間であるＣＱＩフィールドCQI_Dで移動局から基地局に送信されるため、移動局の受信性能を従来のＣＱＩ送信方法とほぼ同等に保つことができる。
【００５５】
（実施の形態２）
図１１に、本発明の実施の形態２に係るコンプレストモードでのＣＱＩ送信方法の概要を図７に準じて示す。本実施の形態に係るＣＱＩ送信方法は、フィードバックサイクルｋ＝１がフィードバックサイクルｋ＝４に変更された点と、ＵＬのＨＳ−ＤＰＣＣＨにおいてＵＬ送信ギャップ区間が終わった後に２サブフレーム分のＵＬ送信ギャップ区間が新たに付加された点と、で実施の形態１に係るコンプレストモードでのＣＱＩ送信方法と相違する。また、本実施の形態に係るＣＱＩ送信装置は、実施の形態１で使用されたＣＱＩ送信装置１００と同一の構成からなる。従って、本実施の形態では、重複説明を避けるため、実施の形態１と相違する点についてのみ以下で具体的に説明する。
【００５６】
本実施の形態では、フォードバックサイクルｋ＝４であることから、ＵＬのＨＳ−ＤＰＣＣＨにおける想定区間の４回に１度の頻度で予定区間が出現することになる。図１１では、実施の形態１におけるＣＱＩ送信方法と対比し易くするため、ＵＬ送信ギャップ区間が終わった直後の想定区間が予定区間となるように、この想定区間をＣＱＩフィールドCQI_Eとし、またこれに対応する測定参照区間をReference Periods_Eとする。従って、図１１に示すＣＱＩフィールドCQI_E及び測定参照区間Reference Periods_EまでのＣＱＩ送信装置１００の動作は、図１０に示すＣＱＩフィールドCQI_C及び測定参照区間Reference P
eriods_CまでのＣＱＩ送信装置１００の動作と実質的に同一である。
【００５７】
そこで、本実施の形態では、図１１に示す測定参照区間Reference Periods_F以後におけるコンプレストモードでのＣＱＩ送信方法及びＣＱＩ送信装置１００の各構成部の動作について具体的に説明する。
【００５８】
図１１に示すように、予定区間CQI_Eに対応する測定参照区間Refernce Period_EがＤＬ送信ギャップ区間と一部重畳しているために、ＤＬ状態判定部２１２は、測定参照区間Refernce Period_Eについての判定結果が否定的である旨の信号をＣＱＩ送信タイミング決定部２１４に入力する。従って、測定参照区間Refernce Period_F以後でエクストラＣＱＩが送信されるまでは、ＣＱＩ送信タイミング決定部２１４からＤＬ状態判定部２１２及びＵＬ状態判定部２１３に判定要請信号が入力されることになる。
【００５９】
ＤＬ状態判定部２１２は、ＣＱＩ送信タイミング決定部２１４から入力されてくる判定要請信号に応じて、測定参照区間Reference Periods_Fから測定参照区間Reference Periods_Hまでについて、判定結果が肯定的である旨の信号をＣＱＩ送信タイミング決定部２１４に逐次入力する。
【００６０】
一方で、ＵＬ状態判定部２１３は、測定参照区間Refernce Period_EについてのＣＱＩ送信タイミング決定部２１４から入力されてくる判定要請信号に応じて、先ず測定参照区間Refernce Period_Fに対応する想定区間のＣＱＩフィールドCQI_FがＵＬ送信ギャップ区間と重畳しないか判定する。図１１より明らかなように、ＣＱＩフィールドCQI_FはＵＬ送信ギャップ区間と重畳するため、ＵＬ状態判定部２１３は、その判定結果が否定的である旨を通知する信号をＣＱＩ送信タイミング決定部２１４に入力する。そして、この信号を入力されたＣＱＩ送信タイミング決定部２１４は、次のＣＱＩフィールドCQI_GがＵＬ送信ギャップ区間と重畳しないか判定するようにＵＬ状態判定部２１３に判定要請信号を入力し、同時にＣＱＩフィールドCQI_Gに対応する測定参照区間Refernce Period_GがＤＬ送信ギャップ区間と重畳しないか判定するようにＤＬ状態判定部２１２に判定要請信号を入力する。この判定要請信号を入力されたＵＬ状態判定部２１３は、想定区間のＣＱＩフィールドCQI_Gについても上記同様の判定を行い、図１１より明らかなように、ＣＱＩフィールドCQI_Gについても判定結果が否定的である旨を通知する信号をＣＱＩ送信タイミング決定部２１４に入力することになる。そして、再度この信号を入力されたＣＱＩ送信タイミング決定部２１４は、次のＣＱＩフィールドCQI_HがＵＬ送信ギャップ区間と重畳しないか判定するようにＵＬ状態判定部２１３に判定要請信号を入力し、同時にＣＱＩフィールドCQI_Hに対応する測定参照区間Refernce Period_HがＤＬ送信ギャップ区間と重畳しないか判定するようにＤＬ状態判定部２１２に判定要請信号を入力する。この判定要請信号を入力されたＵＬ状態判定部２１３は、想定区間のＣＱＩフィールドCQI_Hについても上記同様の判定を行い、図１１より明らかなように、ＣＱＩフィールドCQI_Hについて判定結果が肯定的である旨を通知する信号をＣＱＩ送信タイミング決定部２１４に入力することになる。また、このときＣＱＩ送信タイミング決定部２１４には、ＤＬ状態判定部２１２からも測定参照区間Refernce Period_Hについては判定結果が肯定的である旨を通知する信号が入力されてくる。従って、ＣＱＩ送信タイミング決定部２１４は、想定区間であるＣＱＩフィールドCQI_HにおいてエクストラＣＱＩを送信する決定を行い、その決定を通知するタイミングを生成して、生成されたタイミングを送信部１１６に提供する。
【００６１】
送信部１１６は、想定区間であるＣＱＩフィールドCQI_F及びＣＱＩフィールドCQI_Gについては、ＣＱＩ送信タイミング生成部１１８からタイミングが提供されないため、これらのＣＱＩフィールドにＤＴＸを格納して送信し、ＣＱＩフィールドCQI_HにおいてＣＱＩを送信することになる。
【００６２】
このように、本実施の形態に係るコンプレストモードでのＣＱＩ送信方法及びＣＱＩ送信装置１００によれば、フィードバックサイクルｋの値が２以上で、かつ、ＤＬ送信ギャップ区間及びＵＬ送信ギャップ区間が終わった後に新たにＵＬ送信ギャップ区間が付加された場合でも、予定区間のＣＱＩフィールドCQI_Iが到来する前の想定区間であるＣＱＩフィールドCQI_Hにおいて、伝搬路状況を十分に反映したＣＱＩが移動局から基地局に送信されるため、コンプレストモードにおけるＤＬ送信ギャップ区間やＵＬ送信ギャップ区間の出現によって生じる移動局の受信性能の低下を逸早く回復することができる。
【００６３】
なお、実施の形態1及び実施の形態２では、Ｗ−ＣＤＭＡ方式におけるＨＳＤＰＡ方式でパケット通信が行われる場合について説明したが、本発明はこの場合に限定されるものではなく、ＵＬで下り伝搬路品質情報のフィードバックがあり、かつ、コンプレスモードが存在する方式であれば、全ての通信システムに適用可能である。
【００６４】
本発明は、２００３年９月３０日出願の特願２００３−３４１７１９に基づく。この内容を全てここに含めておく。
【産業上の利用可能性】
【００６５】
本発明にかかるコンプレストモードでの下り伝搬路品質情報送信方法及び下り伝搬路品質情報送信装置は、移動局が従来の下り伝搬路品質情報送信方法とほぼ同等の受信性能を確保でき、かつ、ＵＬで送信される下り伝搬路品質情報を生成するために必要な受信信号の測定等に関する移動局の構成部の動作制御等を容易に行うことができるという効果を有し、下り伝搬路品質情報送信装置を必要とする移動局等に有用である。
【図面の簡単な説明】
【００６６】
【図１】ＨＳＤＰＡ方式における複数のチャネルのフレームフォーマットを示す図
【図２】ＨＳＤＰＡ方式におけるＨＳ−ＤＰＣＣＨのフレームフォーマットを示す図
【図３】ＨＳＤＰＡ方式の複数チャネルのサブフレーム間の対応関係を示すタイミング図
【図４】従来のＨＳＤＰＡ方式におけるＣＱＩ送信方法の概要を示すタイミング図
【図５】従来のＨＳＤＰＡ方式におけるＣＱＩ送信方法の概要を示すタイミング図
【図６】従来のコンプレストモードでのＣＱＩ送信方法の概要を示すタイミング図
【図７】従来のコンプレストモードでのＣＱＩ送信方法の概要を示すタイミング図
【図８】本発明の実施の形態に係るＣＱＩ送信装置の構成を示すブロック図
【図９】本発明の実施の形態に係るＣＱＩ送信装置の構成を示すブロック図
【図１０】実施の形態１に係るコンプレストモードでのＣＱＩ送信方法の概要を示すタイミング図
【図１１】実施の形態２に係るコンプレストモードでのＣＱＩ送信方法の概要を示すタイミング図
【手続補正３】
【補正対象書類名】図面
【補正対象項目名】全図
【補正方法】変更
【補正の内容】
【図１】
2005034555.tif 000014
【図２】
2005034555.tif 000015
【図３】
2005034555.tif 000016
【図４】
2005034555.tif 000017
【図５】
2005034555.tif 000018
【図６】
2005034555.tif 000019
【図７】
2005034555.tif 000020
【図８】
2005034555.tif 000021
【図９】
2005034555.tif 000022
【図１０】
2005034555.tif 000023
【図１１】
2005034555.tif 000024
【国際調査報告】
2005034555.tif 000025
2005034555.tif 000026
2005034555.tif 000027